(57)【要約】  本開示の一態様は、無線通信ネットワークにおいて通信を実施するためのネットワークノードを対象とする。ネットワークノードは、無線通信ネットワークにおいてユーザデバイスによって送信された信号を受信することと、信号がネットワークノードによって受信された受信電力レベルを測定することと、ネットワークノードのあらかじめ規定された送信電力レベルに基づいて、ユーザデバイスのあらかじめ規定された送信電力レベルに基づいて、および受信電力レベルに基づいて、ユーザデバイスによって実施されるべきクリアチャネルアセスメントについてのしきい値電力レベルを決定することと、ユーザデバイスにしきい値電力レベルの指示を送信することをトリガすることとを行うように設定される。本開示のさらなる態様は、ユーザデバイス、方法およびコンピュータプログラム製品に関係する。【選択図】図５
2020523846.tif 000002
【特許請求の範囲】
【請求項１】
無線通信ネットワークにおいて通信を実施するためのネットワークノード（１５、６０）であって、前記ネットワークノード（１５、６０）は、
前記無線通信ネットワークにおいてユーザデバイス（１３、８０）によって送信された信号を受信することと、
受信電力レベルを測定することであって、前記信号が前記ネットワークノード（１５、６０）によって受信されたものである、受信電力レベルを測定することと、
前記ネットワークノード（１５、６０）のあらかじめ規定された送信電力レベルに基づいて、前記ユーザデバイス（１３、８０）のあらかじめ規定された送信電力レベルに基づいて、および前記受信電力レベルに基づいて、前記ユーザデバイス（１３、８０）によって実施されるべきクリアチャネルアセスメントについてのしきい値電力レベルを決定することと、
前記ユーザデバイス（１３、８０）に前記しきい値電力レベルの指示を送信することをトリガすることと
を行うように設定された、ネットワークノード（１５、６０）。
【請求項２】
無線通信ネットワークにおいて通信を実施するためのネットワークノード（１５、６０、９０）であって、前記ネットワークノード（１５、６０、９０）が、
前記ネットワークノード（１５、６０、９０）を前記無線通信ネットワークに通信可能に結合するように適応されたネットワークインターフェース（９２）と、
プロセッサ（９４）と、
命令を含んでいるメモリ（９６）と
を備え、前記命令が、前記ネットワークノード（１５、６０、９０）に、
前記無線通信ネットワークにおいてユーザデバイス（１３、８０）によって送信された信号を受信することと、
受信電力レベルを測定することであって、前記信号が前記ネットワークノード（１５、６０、９０）によって受信されたものである、受信電力レベルを測定することと、
前記ネットワークノード（１５、６０、９０）のあらかじめ規定された送信電力レベルに基づいて、前記ユーザデバイス（１３、８０）のあらかじめ規定された送信電力レベルに基づいて、および前記受信電力レベルに基づいて、前記ユーザデバイス（１３、８０）によって実施されるべきクリアチャネルアセスメントについてのしきい値電力レベルを決定することと、
前記ユーザデバイス（１３、８０）に前記しきい値電力レベルの指示を送信することをトリガすることと
を行わせるために前記プロセッサ（９４）によって実行可能である、ネットワークノード（１５、６０、９０）。
【請求項３】
無線通信ネットワークにおいて通信を実施するためのネットワークノード（１５、６０）であって、前記ネットワークノード（１５、６０）が、
前記無線通信ネットワークにおいてユーザデバイス（１３、８０）によって送信された信号を受信するように設定された受信ユニット（６１）と、
受信電力レベルであって、前記信号が前記ネットワークノード（１５、６０）によって受信されたものである、受信電力レベルを測定するように設定された測定ユニット（６２）と、
前記ネットワークノード（１５、６０）のあらかじめ規定された送信電力レベルに基づいて、前記ユーザデバイス（１３、８０）のあらかじめ規定された送信電力レベルに基づいて、および前記受信電力レベルに基づいて、前記ユーザデバイス（１３、８０）によって実施されるべきクリアチャネルアセスメントについてのしきい値電力レベルを決定するように設定された決定ユニット（６３）と、
前記ユーザデバイス（１３、８０）に前記しきい値電力レベルの指示を送信することをトリガするように設定されたトリガリングユニット（６４）と
を備える、ネットワークノード（１５、６０）。
【請求項４】
前記受信電力レベルに基づいて、および前記ユーザデバイス（１３、８０）の前記あらかじめ規定された送信電力レベルに基づいて、前記ユーザデバイス（１３、８０）から前記ネットワークノード（１５、６０）に送信された前記信号のパスロスを決定する
ようにさらに設定され、
前記ネットワークノード（１５、６０）が、前記ネットワークノード（１５、６０）の前記あらかじめ規定された送信電力レベルに基づいて、および前記パスロスに基づいて、前記しきい値電力レベルを決定するように設定された、請求項１から３のいずれか一項に記載のネットワークノード（１５、６０）。
【請求項５】
前記ユーザデバイス（１３、８０）からの、前記ネットワークノード（１５、６０）によって受信されるべき信号についての所望の最大受信電力レベルをセットすることと、
前記最大受信電力レベルに基づいて、および前記パスロスに基づいて、前記ユーザデバイス（１３、８０）によって送信される信号についての最大送信電力レベルを決定することと、
前記ユーザデバイス（１３、８０）に前記最大送信電力レベルの指示を送信することをトリガすることと
を行うようにさらに設定された、請求項４に記載のネットワークノード（１５、６０）。
【請求項６】
前記ネットワークノード（１５、６０）が、前記ユーザデバイス（１３、８０）からの、前記ネットワークノード（１５、６０）によって受信されるべき信号についての前記所望の最大受信電力レベルを、前記ネットワークノード（１５、６０）によって受信される信号の熱雑音電力レベルのあらかじめ規定された比率に対応するようにセットするように設定された、請求項５に記載のネットワークノード（１５、６０）。
【請求項７】
前記ユーザデバイス（１３、８０）から送信されたデータを受信する
ようにさらに設定された、請求項１から６のいずれか一項に記載のネットワークノード（１５、６０）。
【請求項８】
１つまたは複数のリソースユニット（ＲＵ）が特定のユーザデバイスへのおよび／またはからの送信のために割り振られる直交周波数分割多元接続（ＯＦＤＭＡ）変調方式を使用して、信号を送信するようにさらに設定され、前記ネットワークノード（１５、６０）は、
前記ユーザデバイス（１３、８０）によって送信された信号を受信することと、
前記受信された信号に基づいて、前記受信された信号が前記ユーザデバイス（１３、８０）によって送信されたところのＯＦＤＭＡ変調方式であって、前記ネットワークノード（１５、６０）によって使用される前記ＯＦＤＭＡ変調方式の１つまたは複数のＲＵを決定することと、
前記ネットワークノード（１５、６０）からさらなるユーザデバイス（１１）への送信のために利用可能なＲＵのリストから前記１つまたは複数のＲＵを除外することと、
ＲＵの前記リストのうちの１つまたは複数のＲＵを使用することによって前記さらなるユーザデバイス（１１）にデータを送信することをトリガすることと
を行うようにさらに設定された、請求項１から７のいずれか一項に記載のネットワークノード（１５、６０）。
【請求項９】
１つまたは複数のリソースユニット（ＲＵ）が特定のユーザデバイスへのおよび／またはからの送信のために割り振られる直交周波数分割多元接続（ＯＦＤＭＡ）変調方式を使用して、信号を送信するようにさらに設定され、前記ネットワークノード（１５、６０）は、
前記ユーザデバイス（１３、８０）によって送信された信号を受信することと、
前記受信された信号に基づいて、前記受信された信号が前記ユーザデバイス（１３、８０）によって送信されたところのＯＦＤＭＡ変調方式であって、前記ネットワークノード（１５、６０）によって使用される前記ＯＦＤＭＡ変調方式の１つまたは複数のＲＵを決定することと、
さらなるユーザデバイス（１１）から前記ネットワークノード（１５、６０）への送信のために利用可能なＲＵのリストから前記１つまたは複数のＲＵを除外することと、
ＲＵの前記リストのうちの１つまたは複数のＲＵを使用することによって前記さらなるユーザデバイス（１１）から前記ネットワークノード（１５、６０）への送信をスケジュールすることをトリガすることと
を行うようにさらに設定された、請求項１から８のいずれか一項に記載のネットワークノード（１５、６０）。
【請求項１０】
前記ネットワークノード（１５、６０）は、前記さらなるユーザデバイス（１１）から前記ネットワークノード（１５、６０）への前記送信をスケジュールすることを前記トリガするステップが前記さらなるユーザデバイス（１１）にスケジューリングメッセージを送信することを含むように、設定され、前記スケジューリングメッセージが、前記さらなるユーザデバイス（１１）から前記ネットワークノード（１５、６０）への前記送信のために前記さらなるユーザデバイス（１１）によって使用されるべきＲＵの前記リストのうちの前記１つまたは複数のＲＵの指示を含む、請求項９に記載のネットワークノード（１５、６０）。
【請求項１１】
前記無線通信ネットワークが、ＩＥＥＥ８０２．１１規格ファミリーにおいて動作する無線ローカルエリアネットワーク（ＷＬＡＮ）であり、前記ネットワークノード（１５、６０）が前記ＷＬＡＮのアクセスポイントを備える、請求項１から１０のいずれか一項に記載のネットワークノード（１５、６０）。
【請求項１２】
前記無線通信ネットワークが、ＩＥＥＥ８０２．１１規格ファミリーにおいて動作する無線ローカルエリアネットワーク（ＷＬＡＮ）であり、前記ユーザデバイス（１３、８０）が前記ＷＬＡＮの局（ＳＴＡ）を備える、請求項１から１１のいずれか一項に記載のネットワークノード（１５、６０）。
【請求項１３】
前記ネットワークノード（１５、６０）が、第１のタイプのユーザデバイス（１３）および第２のタイプのユーザデバイス（１１）と通信するように設定され、前記第２のタイプのユーザデバイス（１１）が、前記第１のタイプのユーザデバイス（１３）よりも広い帯域幅をサポートする、請求項１から１２のいずれか一項に記載のネットワークノード（１５、６０）。
【請求項１４】
前記第１のタイプのユーザデバイス（１３）が２ＭＨｚ以下の帯域幅内の通信のみをサポートする、請求項１３に記載のネットワークノード（１５、６０）。
【請求項１５】
前記第２のタイプのユーザデバイス（１１）が１０ＭＨｚ以上の帯域幅内の通信をサポートする、請求項１３または１４に記載のネットワークノード（１５、６０）。
【請求項１６】
無線通信ネットワークにおいて通信を実施するためのユーザデバイス（１３、８０）であって、前記ユーザデバイス（１３、８０）は、
前記無線通信ネットワークのネットワークノード（１５、６０）から、前記無線通信ネットワークにおいて前記ユーザデバイス（１３、８０）によって実施されるべきクリアチャネルアセスメントについてのしきい値電力レベルを受信することと、
前記ネットワークノード（１５、６０）から、前記ユーザデバイス（１３、８０）によって送信される信号についての最大送信電力レベルを受信することと、
前記無線通信ネットワークのチャネルにおいて前記クリアチャネルアセスメントを実施することをトリガすることと、
前記チャネルがアイドルであると決定されたケースでは、前記最大送信電力レベルに等しいかまたはそれよりも低い送信電力レベルで、前記無線通信ネットワークにおいて前記ネットワークノード（１５、６０）にデータを送信することと
を行うように設定された、ユーザデバイス（１３、８０）。
【請求項１７】
無線通信ネットワークにおいて通信を実施するためのユーザデバイス（１３、８０、９０）であって、前記ユーザデバイス（１３、８０、９０）は、
前記ユーザデバイス（１３、８０、９０）を前記無線通信ネットワークに通信可能に結合するように適応されたネットワークインターフェース（９２）と、
プロセッサ（９４）と、
命令を含んでいるメモリ（９６）と
を備え、前記命令が、前記ユーザデバイス（１３、８０、９０）に、
前記無線通信ネットワークのネットワークノード（１５、６０）から、前記無線通信ネットワークにおいて前記ユーザデバイス（１３、８０、９０）によって実施されるべきクリアチャネルアセスメントについてのしきい値電力レベルを受信することと、
前記ネットワークノード（１５、６０）から、前記ユーザデバイス（１３、８０、９０）によって送信される信号についての最大送信電力レベルを受信することと、
前記無線通信ネットワークのチャネルにおいて前記クリアチャネルアセスメントを実施することをトリガすることと、
前記チャネルがアイドルであると決定されたケースでは、前記最大送信電力レベルに等しいかまたはそれよりも低い送信電力レベルで、前記無線通信ネットワークにおいて前記ネットワークノード（１５、６０）にデータを送信することと
を行わせるために前記プロセッサ（９４）によって実行可能である、ユーザデバイス（１３、８０、９０）。
【請求項１８】
無線通信ネットワークにおいて通信を実施するためのユーザデバイス（１３、８０）であって、前記ユーザデバイス（１３、８０）は、
前記無線通信ネットワークのネットワークノード（１５、６０）から、前記無線通信ネットワークにおいて前記ユーザデバイス（１３、８０）によって実施されるべきクリアチャネルアセスメントについてのしきい値電力レベルを受信するように設定された第１の受信ユニット（８２）と、
前記ネットワークノード（１５、６０）から、前記ユーザデバイス（１３、８０）によって送信される信号についての最大送信電力レベルを受信するように設定された第２の受信ユニット（８４）と、
前記無線通信ネットワークのチャネルにおいて前記クリアチャネルアセスメントを実施することをトリガするように設定されたトリガリングユニット（８６）と、
前記チャネルがアイドルであると決定されたケースでは、前記最大送信電力レベルに等しいかまたはそれよりも低い送信電力レベルで、前記無線通信ネットワークにおいて前記ネットワークノード（１５、６０）にデータを送信するように設定された送信ユニット（８８）と
を備える、ユーザデバイス（１３、８０）。
【請求項１９】
前記無線通信ネットワークが、ＩＥＥＥ８０２．１１規格ファミリーにおいて動作する無線ローカルエリアネットワーク（ＷＬＡＮ）であり、前記ネットワークノード（１５、６０）が前記ＷＬＡＮのアクセスポイントを備える、請求項１６から１８のいずれか一項に記載のユーザデバイス（１３、８０）。
【請求項２０】
前記無線通信ネットワークが、ＩＥＥＥ８０２．１１規格ファミリーにおいて動作する無線ローカルエリアネットワーク（ＷＬＡＮ）であり、前記ユーザデバイス（１３、８０）が前記ＷＬＡＮの局（ＳＴＡ）を備える、請求項１６から１９のいずれか一項に記載のユーザデバイス（１３、８０）。
【請求項２１】
前記ユーザデバイス（１３、８０）が、２ＭＨｚ以下の帯域幅内の通信のみをサポートする第１のタイプのユーザデバイスである、請求項１６から２０のいずれか一項に記載のユーザデバイス（１３、８０）。
【請求項２２】
無線通信ネットワークにおいて通信を実施するための方法であって、前記方法がネットワークノード（１５、６０）によって実施され、前記方法が、
前記無線通信ネットワークにおいてユーザデバイス（１３、８０）によって送信された信号を受信すること（５０）と、
受信電力レベルを測定することであって、前記信号が前記ネットワークノード（１５、６０）によって受信されたものである、受信電力レベルを測定すること（５２）と、
前記ネットワークノード（１５、６０）のあらかじめ規定された送信電力レベルに基づいて、前記ユーザデバイス（１３、８０）のあらかじめ規定された送信電力レベルに基づいて、および前記受信電力レベルに基づいて、前記ユーザデバイス（１３、８０）によって実施されるべきクリアチャネルアセスメントについてのしきい値電力レベルを決定すること（５４）と、
前記ユーザデバイス（１３、８０）に前記しきい値電力レベルの指示を送信することをトリガすること（５６）と
を含む、方法。
【請求項２３】
前記受信電力レベルに基づいて、および前記ユーザデバイス（１３、８０）の前記あらかじめ規定された送信電力レベルに基づいて、前記ユーザデバイス（１３、８０）から前記ネットワークノード（１５、６０）に送信された前記信号のパスロスを決定すること
をさらに含み、
前記しきい値電力レベルが、前記ネットワークノード（１５、６０）の前記あらかじめ規定された送信電力レベルに基づいて、および前記パスロスに基づいて決定される、請求項２２に記載の方法。
【請求項２４】
前記ユーザデバイス（１３、８０）からの、前記ネットワークノード（１５、６０）によって受信されるべき信号についての所望の最大受信電力レベルをセットすることと、
前記最大受信電力レベルに基づいて、および前記パスロスに基づいて、前記ユーザデバイス（１３、８０）によって送信される信号についての最大送信電力レベルを決定することと、
前記ユーザデバイス（１３、８０）に前記最大送信電力レベルの指示を送信することをトリガすることと
をさらに含む、請求項２３に記載の方法。
【請求項２５】
前記ユーザデバイス（１３、８０）からの、前記ネットワークノード（１３、６０）によって受信されるべき信号についての前記所望の最大受信電力レベルを前記セットするステップが、前記最大受信電力レベルを、前記ネットワークノード（１３、６０）によって受信される信号の熱雑音電力レベルのあらかじめ規定された比率に対応するようにセットすることを含む、請求項２４に記載の方法。
【請求項２６】
前記ユーザデバイス（１３、８０）から送信されたデータを受信すること
をさらに含む、請求項２２から２５のいずれか一項に記載の方法。
【請求項２７】
１つまたは複数のリソースユニット（ＲＵ）が特定のユーザデバイスへのおよび／またはからの送信のために割り振られる直交周波数分割多元接続（ＯＦＤＭＡ）変調方式を使用して、信号を送信することと、
前記ユーザデバイス（１３、８０）によって送信された信号を受信することと、
前記受信された信号に基づいて、前記受信された信号が前記ユーザデバイス（１３、８０）によって送信されたところのＯＦＤＭＡ変調方式であって、前記ネットワークノード（１５、６０）によって使用される前記ＯＦＤＭＡ変調方式の１つまたは複数のＲＵを決定することと、
前記ネットワークノード（１５、６０）からさらなるユーザデバイス（１１）への送信のために利用可能なＲＵのリストから前記１つまたは複数のＲＵを除外することと、
ＲＵの前記リストのうちの１つまたは複数のＲＵを使用することによって前記さらなるユーザデバイス（１１）にデータを送信することをトリガすることと
をさらに含む、請求項２２から２６のいずれか一項に記載の方法。
【請求項２８】
１つまたは複数のリソースユニット（ＲＵ）が特定のユーザデバイスへのおよび／またはからの送信のために割り振られる直交周波数分割多元接続（ＯＦＤＭＡ）変調方式を使用して、信号を送信することと、
前記ユーザデバイス（１３、８０）によって送信された信号を受信することと、
前記受信された信号に基づいて、前記受信された信号が前記ユーザデバイス（１３、８０）によって送信されたところのＯＦＤＭＡ変調方式であって、前記ネットワークノード（１５、６０）によって使用される前記ＯＦＤＭＡ変調方式の１つまたは複数のＲＵを決定することと、
さらなるユーザデバイス（１１）から前記ネットワークノード（１５、６０）への送信のために利用可能なＲＵのリストから前記１つまたは複数のＲＵを除外するステップと、
ＲＵの前記リストのうちの１つまたは複数のＲＵを使用することによって前記さらなるユーザデバイス（１１）から前記ネットワークノード（１５、６０）への送信をスケジュールすることをトリガすることと
をさらに含む、請求項２２から２７のいずれか一項に記載の方法。
【請求項２９】
前記さらなるユーザデバイス（１１）から前記ネットワークノード（１５、６０）への前記送信をスケジュールすることを前記トリガすることが、前記さらなるユーザデバイス（１１）にスケジューリングメッセージを送信するステップを含み、前記スケジューリングメッセージが、前記さらなるユーザデバイス（１１）から前記ネットワークノード（１５、６０）への前記送信のために前記さらなるユーザデバイス（１１）によって使用されるべきＲＵの前記リストのうちの前記１つまたは複数のＲＵの指示を含む、請求項２８に記載の方法。
【請求項３０】
前記無線通信ネットワークが、ＩＥＥＥ８０２．１１規格ファミリーにおいて動作する無線ローカルエリアネットワーク（ＷＬＡＮ）であり、前記ネットワークノード（１５、６０）が前記ＷＬＡＮのアクセスポイントを備える、請求項２２から２９のいずれか一項に記載の方法。
【請求項３１】
前記無線通信ネットワークが、ＩＥＥＥ８０２．１１規格ファミリーにおいて動作する無線ローカルエリアネットワーク（ＷＬＡＮ）であり、前記ユーザデバイス（１３、８０）が前記ＷＬＡＮの局（ＳＴＡ）を備える、請求項２２から３０のいずれか一項に記載の方法。
【請求項３２】
第１のタイプのユーザデバイス（１３）および第２のタイプのユーザデバイス（１１）と通信するステップをさらに含み、前記第２のタイプのユーザデバイス（１１）が、前記第１のタイプのユーザデバイス（１３）よりも広い帯域幅をサポートする、
請求項２２から３１のいずれか一項に記載の方法。
【請求項３３】
前記第１のタイプのユーザデバイス（１３）が２ＭＨｚ以下の帯域幅内の通信のみをサポートする、請求項３２に記載の方法。
【請求項３４】
前記第２のタイプのユーザデバイス（１１）が１０ＭＨｚ以上の帯域幅内の通信をサポートする、請求項３２または３３に記載の方法。
【請求項３５】
無線通信ネットワークにおいて通信を実施するための方法であって、前記方法がユーザデバイス（１３、８０）によって実施され、前記方法は、
前記無線通信ネットワークのネットワークノード（１５、６０）から、前記無線通信ネットワークにおいて前記ユーザデバイス（１３、８０）によって実施されるべきクリアチャネルアセスメントについてのしきい値電力レベルを受信すること（７０）と、
前記ネットワークノード（１５、６０）から、前記ユーザデバイス（１３、８０）によって送信される信号についての最大送信電力レベルを受信すること（７２）と、
前記無線通信ネットワークのチャネルにおいて前記クリアチャネルアセスメントを実施することをトリガすること（７４）と、
前記チャネルがアイドルであると決定されたケースでは、前記最大送信電力レベルに等しいかまたはそれよりも低い送信電力レベルで、前記無線通信ネットワークにおいて前記ネットワークノード（１５、６０）にデータを送信すること（７６）と
を含む、方法。
【請求項３６】
前記無線通信ネットワークが、ＩＥＥＥ８０２．１１規格ファミリーにおいて動作する無線ローカルエリアネットワーク（ＷＬＡＮ）であり、前記ネットワークノード（１５、６０）が前記ＷＬＡＮのアクセスポイントを備える、請求項３５に記載の方法。
【請求項３７】
前記無線通信ネットワークが、ＩＥＥＥ８０２．１１規格ファミリーにおいて動作する無線ローカルエリアネットワーク（ＷＬＡＮ）であり、前記ユーザデバイス（１３、８０）が前記ＷＬＡＮの局（ＳＴＡ）を備える、請求項３５または３６に記載の方法。
【請求項３８】
前記ユーザデバイス（１３、８０）が、２ＭＨｚ以下の帯域幅内の通信のみをサポートする第１のタイプのユーザデバイスである、請求項３５から３７のいずれか一項に記載の方法。
【請求項３９】
コンピュータプログラム製品であって、前記コンピュータプログラム製品が１つまたは複数の処理デバイス上で実行されたとき、請求項２２から３８のいずれか一項に記載のステップを実施するためのプログラムコード部分を含む、コンピュータプログラム製品。
【請求項４０】
１つまたは複数のコンピュータ可読記録媒体に記憶された、請求項３９に記載のコンピュータプログラム製品。
【発明の詳細な説明】
【技術分野】
【０００１】
本開示は、一般に、無線通信ネットワークにおいて通信を実施するための技法に関する。特に、限定はしないが、ＩＥＥＥ８０２．１１規格ファミリーにおいて動作する無線ローカルエリアネットワーク（ＷＬＡＮ）であり得る無線通信ネットワークにおいて通信を実施するための方法およびデバイスが開示される。より詳細には、および限定はしないが、開示されるデバイスおよび方法は、無線通信ネットワークのチャネルにおけるクリアチャネルアセスメントのコンテキストにおいて実装され得る。
【背景技術】
【０００２】
（ＩＥＥＥ８０２．１１ＷＬＡＮ規格ファミリーによる無線通信のために使用される２．４ＧＨｚ周波数帯域など）未ライセンス周波数帯域におけるチャネルを共有するための通常使用される手法は、キャリア検知多重アクセス／衝突回避（ＣＳＭＡ／ＣＡ：ｃａｒｒｉｅｒ  ｓｅｎｓｅ  ｍｕｌｔｉｐｌｅ  ａｃｃｅｓｓ  ｗｉｔｈ  ｃｏｌｌｉｓｉｏｎ  ａｖｏｉｄａｎｃｅ）に基づく。効果的に、送信のために無線媒体を利用しようとするデバイスが、チャネルを検知し、チャネルがビジーである（また、以下では「使用中である（ｉｎ  ｕｓｅ）」、「使用されている（ｕｓｅｄ）」、または「占有されている（ｏｃｃｕｐｉｅｄ）」）のか、アイドルである（また、以下では「使用中でない（ｎｏｔ  ｉｎ  ｕｓｅ）」、「未使用である（ｕｎｕｓｅｄ）」かまたは「占有されていない（ｕｎｏｃｃｕｐｉｅｄ）」）のかを決定する。チャネルがビジーであると決定された場合、送信は延期されるが、チャネルがアイドルであると決定された場合、送信は開始される。「ＣＳＭＡ／ＣＡ」という名称が示唆するとおり、このアイデアは、チャネルが別の送信デバイスによってまだ使用されていないときにのみ送信を開始することによって衝突を回避することである。
【０００３】
（無線ローカルエリアネットワーク（ＷＬＡＮ）通信を対象とする）ＩＥＥＥ８０２．１１規格ファミリーでは、送信を開始することは、通常、ランダムバックオフ値を生成し、チャネルがアイドルであることを見いだした２つのデバイスが、同時に送信し始めるという危険を低減することを必要とする。実際には、他の送信協調機構も使用され得る。送信のこの開始がどのように実装されるかに関する詳細は、それらの詳細が、それぞれのＩＥＥＥ８０２．１１規格の仕様から当業者に知られているので、本開示の一部でない。したがって、これらの詳細は、本明細書ではさらに説明されない。
【０００４】
ＣＳＭＡ／ＣＡプロトコルの重要な構成要素は、チャネルがビジーである（「使用中である」、「使用されている」または「占有されている」）のか、アイドルである（「使用中でない」、「未使用である」または「占有されていない」）のかをどのように決定すべきかである。所望のチャネルがビジーであるのかアイドルであるのかを決定するための２つの基本的に異なるやり方がある。第１の手法では、受信機が、特定の（明確に規定された）信号または「プリアンブル」を探索している。見いだされた場合、その無線媒体（チャネル）はビジーであると見なされる。さらに、いくつかの実装形態は、信号が特定のしきい値（しきい値電力レベル）を上回った場合のみ、チャネルがビジーであると見なし得る。この手法は、一般に、信号検出またはプリアンブル検出（ＰＤ：ｐｒｅａｍｂｌｅ  ｄｅｔｅｃｔ）と呼ばれる。ＩＥＥＥ８０２．１１は、ＩＥＥＥ８０２．１１のＯＦＤＭ（直交周波数分割多重）無線設計についてのＰＤしきい値が、未ライセンス２．４ＧＨｚおよび５ＧＨｚ帯域において−８２ｄＢｍ以下にセットされるように規定する。すなわち、ＩＥＥＥ８０２．１１信号のプリアンブルが−８２ｄＢｍ以上の電力レベルにおいて検出された場合、チャネルはビジーとして分類されなければならず、デバイスはそのデバイスの送信を延期しなければならない。反対に、デバイスが、ＰＤしきい値レベルを下回る電力レベルにおいてよく知られている信号を検出した場合、デバイスは、チャネルをアイドルとして分類し得、送信を開始し得る。しかしながら、しばしば、ＩＥＥＥ８０２．１１ＳＴＡ（局、また、以下では「ユーザデバイス」）は、必要とされる−８２ｄＢｍよりも低いＰＤしきい値レベルを適用する。詳細には、ＰＤしきい値は、しばしば、ＳＴＡについての感度しきい値と一致し、感度しきい値は約−９２ｄＢｍであり得る。基本的に、これは、ユーザデバイスが、よく知られているＩＥＥＥ８０２．１１プリアンブルを含んでいる任意の正常に受信された送信に従うことになることを意味する。
【０００５】
しかしながら、時々、送信機（たとえば、ユーザデバイス）が送信しようとするチャネルは、たとえば、異種のシステム（たとえば、ＷＬＡＮデバイスでない）によって生成される信号によって占有され得る。このケースでは、チャネルがビジーであるのかアイドルであるのかを決定するためにＰＤのみを使用することは十分でない。したがって、ＰＤに加えて、チャネルを検知するＩＥＥＥ８０２．１１受信機も、他の信号の存在を考慮する必要がある。これは、チャネルにおける任意の信号のエネルギーレベルを検出することによって行われる。ＰＤとは対照的に、この検出は、信号の実際のタイプまたは知られているプリアンブルとは無関係に実施される。エネルギーレベルがあらかじめ規定されたしきい値レベルを超えた場合、チャネルはビジーとして宣言され、他の場合、チャネルは、占有されていない（アイドル）と見なされる。チャネルの状態を決定するこのやり方は、一般に、エネルギー検出（ＥＤ：ｅｎｅｒｇｙ  ｄｅｔｅｃｔ）と呼ばれる。ＩＥＥＥ８０２．１１では、ＥＤのために使用されるしきい値レベルは−６２ｄＢｍである。
【０００６】
容易に理解されるように、アイドルとしてチャネルを宣言するために使用されるレベルが低いほど、ユーザデバイスは、チャネルにアクセスする際にあまり「アグレッシブ」でなくなる。したがって、ＰＤについてのレベルとＥＤについてのレベルとを比較すると、あるＩＥＥＥ８０２．１１システムは、（実際には）−９２ｄＢｍにおけるまたは−９２ｄＢｍを超える別のＩＥＥＥ８０２．１１送信が検出された場合、送信を開始しないことになるが、送信が別のシステムによって引き起こされた場合、そのＩＥＥＥ８０２．１１システムは、代わりに、ＥＤしきい値を考慮し、観測されたエネルギーレベルが−６２ｄＢｍを超えた場合に送信を延期することになるという点で、そのＩＥＥＥ８０２．１１システムが他のＩＥＥＥ８０２．１１システムに対して比較的「良い」と結論付けられ得る。
【０００７】
範囲の観点から、これが何を意味するかを確かめるために、ＩＥＥＥ８０２．１１システムについてのいくつかの妥当な値を考慮し得る。妥当な送信（ＴＸ）電力は１５ｄＢｍである。さらに、システムが２．４ＧＨｚにおいて動作される場合、ｄＢ単位の伝搬損失（ＰＬ：ｐｒｏｐａｇａｔｉｏｎ  ｌｏｓｓ）のための妥当なモデルは、
（１）  ＰＬ＝４０＋３５ｌｏｇ１０（ｄ）
であり、ここで、４０の第１の項は、１ｍ（ｄ＝１）の距離における減衰に対応し、距離ｄはメートル単位で与えられる。２．４ＧＨｚとは別のキャリア周波数の場合、定数は別の値をとることになる。
【０００８】
上記の一般的なＰＤしきい値およびＥＤしきい値、すなわち、それぞれ、−９２ｄＢｍおよび−６２ｄＢｍを用いると、対応するＰＬは、１５ｄＢｍの送信電力について、それぞれ、１０７ｄＢおよび７７ｄＢになる。最終的に、ＰＬについての上記の式（１）を使用して、これが、それぞれ８２ｍおよび１１ｍの距離に対応することが容易にわかり得る。
【０００９】
同時に、最もロバストな変調符号化方式（ＭＣＳ）を使用するＩＥＥＥ８０２．１１システムについての必要とされる信号対雑音比（ＳＮＲ）は約２ｄＢであり得、これは、１５ｄＢｍ送信電力における１０７ｄＢのＰＬ、および８２ｍの範囲に対応する。事実上、−９２ｄＢｍのＰＤしきい値は、今日の無線機が通常可能である最低（最もロバストな、最も遅い送信速度）ＭＣＳについての感度レベルを表す。その数字は、以下のように見いだされる。１ＭＨｚ帯域幅中の室温における熱受信機雑音電力（ｔｈｅｒｍａｌ  ｒｅｃｅｉｖｅｒ  ｎｏｉｓｅ  ｐｏｗｅｒ）は−１１４ｄＢｍであり、これは、通信理論に関する書籍において、および妥当な仮定を使用して見いだされ得る。２０ＭＨｚ帯域幅の場合、雑音電力は１３ｄＢだけ増加する。最終的に、７ｄＢの受信機における無線実装形態固有の雑音指数を仮定し、これは、−１１４「ｄＢｍ」＋１３「ｄＢ」＋７「ｄＢ」＝−９４「ｄＢｍ」の雑音フロアにつながる。２ｄＢの必要とされるＳＮＲの場合、−９２ｄＢｍの感度レベルが取得される。
【００１０】
図１は、上記で説明された状況の例示を提供する。小さい円３の中心に位置すると仮定される局ＳＴＡ１  １は、対応する送信機が小さい円３内に位置することになる場合、ＥＤを使用して非Ｗｉ−Ｆｉ送信のみを検出することになる。上記で計算されるように、小さい円３は本例示的な考察について１１ｍの半径を有すると仮定される。さらに、アクセスポイント（ＡＰ）５についての「カバレッジエリア」が、（−９２ｄＢｍの受信機の感度レベルを仮定して）８２ｍに対応するように上記で計算されている。このカバレッジエリアは、大きい円７によって示される。
【００１１】
アクセスポイント（ＡＰ）５が小さい円３内に位置せず、小さい円３のエリアがＡＰ５のカバレッジエリアの（１１／８２）＾２≒１８／１０００を表すことを考慮すると、ＷＬＡＮ送信を検出するためにＥＤを使用することが不十分であることが明らかになる。代わりにＰＤが採用された場合、ＡＰ５は、ＡＰ５が、ＳＴＡ１  １のＰＤ検出範囲を示す大きい円９内に位置するので、検出範囲内で動作する。ＡＰ５のカバレッジエリアの反対の部分に位置するＳＴＡのみが、説明されるＰＤしきい値の下で検出され得ない。
【００１２】
チャネルが事実上ビジーであるときにそのチャネルが誤ってアイドルとして宣言され得ることは、一般に、聴取されない送信機が、クリアチャネルアセスメント（ＣＣＡ）を実施するＳＴＡ（ＳＴＡ１）から隠れていることにより、隠れノード問題と呼ばれる。隠れＳＴＡシナリオは、衝突する送信を受けやすい。送信要求／送信可（ＲＴＳ／ＣＴＳ：Ｒｅｑｕｅｓｔ−Ｔｏ−Ｓｅｎｄ／Ｃｌｅａｒ−Ｔｏ−Ｓｅｎｄ）メッセージ交換が、通常使用され、このシナリオを抑制する。ＳＴＡが、送るべきデータを有するとき、ＳＴＡはチャネルを検知し、アイドルであることを見いだした場合、ＳＴＡは、意図された受信機にＲＴＳメッセージを送信する。意図された受信機がＲＴＳメッセージを正常に受信した場合、意図された受信機は、意図された受信機の周囲中のデバイスに対して、意図された受信機が、他のデバイスに媒体アクセス試行を延期することを要求する時間期間を示すＣＴＳメッセージで応答する。
【００１３】
しかしながら、無線通信システム（たとえば、ユーザデバイス）がプリアンブル検出（ＰＤ）を実施することができないが、エネルギー検出（ＥＤ：ｅｎｅｒｇｙ  ｄｅｔｅｃｔｉｏｎ）を実施することができるケースが発生し得る。そのようなケースでは、無線媒体が、それを下回るとアイドルとして扱われ得るＥＤ電力しきい値レベルの選定は、性能を決定するための重要なパラメータになる。知られているデバイスにおいて、ＩＥＥＥ８０２．１１では、エネルギー検出しきい値は、上記で説明されたように−６２ｄＢｍにセットされる。上記のように、この値は、低い衝突確率で動作するためにはあまりに高い。新しい（追加の）ＩＥＥＥ８０２．１１動作モードがＰＤに依拠することが可能でないが、エネルギー検出ルールの下でのみ動作することになるケースでは、無線性能は有害な影響を及ぼされることになり、これは従来技術の問題である。
【００１４】
上記に鑑みて、知られている技法および通信規格は、無線デバイスがクリアチャネルアセスメントを実施するためにＥＤにのみ依拠する上述の状況に、十分に対処しない。
【発明の概要】
【００１５】
したがって、上記の問題または従来技術の他の関係する問題を解決する技法が必要である。詳細には、および限定はしないが、無線デバイス（たとえば、ユーザデバイス）が、クリアチャネルアセスメント（ＣＣＡ）を実施するためにエネルギー検出（ＥＤ）にのみ依拠するケースにおいて適用され得る技法が必要である。
【００１６】
第１の態様によれば、無線通信ネットワークにおいて通信を実施するためのネットワークノードが提供される。ネットワークノードは、無線通信ネットワークにおいてユーザデバイスによって送信された信号を受信することと、信号がネットワークノードによって受信された受信電力レベルを測定することと、ネットワークノードのあらかじめ規定された送信電力レベルに基づいて、ユーザデバイスのあらかじめ規定された送信電力レベルに基づいて、および受信電力レベルに基づいて、ユーザデバイスによって実施されるべきクリアチャネルアセスメントについてのしきい値電力レベルを決定することと、ユーザデバイスにしきい値電力レベルの指示を送信することをトリガすることとを行うように設定される。
【００１７】
第２の態様によれば、無線通信ネットワークにおいて通信を実施するためのネットワークノードが提供される。ネットワークノードは、ネットワークノードを無線通信ネットワークに通信可能に結合するように適応されたネットワークインターフェースと、プロセッサと、メモリとを備える。メモリは、ネットワークノードに、無線通信ネットワークにおいてユーザデバイスによって送信された信号を受信することと、信号がネットワークノードによって受信された受信電力レベルを測定することと、ネットワークノードのあらかじめ規定された送信電力レベルに基づいて、ユーザデバイスのあらかじめ規定された送信電力レベルに基づいて、および受信電力レベルに基づいて、ユーザデバイスによって実施されるべきクリアチャネルアセスメントについてのしきい値電力レベルを決定することと、ユーザデバイスにしきい値電力レベルの指示を送信することをトリガすることとを行わせるためにプロセッサによって実行可能な命令を含んでいる。
【００１８】
第３の態様によれば、無線通信ネットワークにおいて通信を実施するためのネットワークノードが提供される。ネットワークノードは、無線通信ネットワークにおいてユーザデバイスによって送信された信号を受信するように設定された受信ユニットと、信号がネットワークノードによって受信された受信電力レベルを測定するように設定された測定ユニットと、ネットワークノードのあらかじめ規定された送信電力レベルに基づいて、ユーザデバイスのあらかじめ規定された送信電力レベルに基づいて、および受信電力レベルに基づいて、ユーザデバイスによって実施されるべきクリアチャネルアセスメントについてのしきい値電力レベルを決定するように設定された決定ユニットと、ユーザデバイスにしきい値電力レベルの指示を送信することをトリガするように設定されたトリガリングユニットとを備える。
【００１９】
以下の説明は、本開示で説明されるすべての態様に適用される。特に、装置態様に関する以下の説明は、装置態様だけでなく、適用可能な場合に、以下で説明される方法態様にも適用され得る。
【００２０】
以下の説明が無線ローカルエリアネットワーク（ＷＬＡＮ）に関して与えられるが、本出願はＷＬＡＮに限定されず、説明される無線通信ネットワークは、規格ファミリーＩＥＥＥ８０２．１１によるＷＬＡＮ（たとえば、Ｗｉ−Ｆｉとも呼ばれるＩＥＥＥ８０２．１１ａ、ｇ、ｎ、ａｘまたはａｃ）、規格ファミリーＩＥＥＥ８０２．１６によるワールドワイドインターオペラビリティフォーマイクロウェーブアクセス（ＷｉＭＡＸ）、および／またはＬＴＥなどの第３世代パートナーシッププロジェクト（３ＧＰＰ）規格の下で動作する無線ネットワーク、あるいは任意の他のモバイル通信規格を含む、任意の好適な種類の無線通信ネットワークであり得る。
【００２１】
ネットワークノードは、無線通信ネットワークにおける任意の無線デバイスであり得る。特に、ネットワークノードは、ＷＬＡＮネットワークのアクセスポイント（ＡＰ）、あるいは３ＧＰＰ規格の下で動作する基地局、ノードＢまたはｅノードＢであり得る。したがって、無線通信ネットワークは、ＷＬＡＮ、またはＬＴＥネットワークなどの３ＧＰＰ規格の下で動作するモバイル通信ネットワークを含む、任意の好適な通信ネットワークであり得る。さらに、ユーザデバイスは、無線通信ネットワークのチャネルにおいてクリアチャネルアセスメントを実施するように適応された、無線通信ネットワークにおける任意の無線デバイスであり得る。特に、ユーザデバイスは、ＷＬＡＮの局（ＳＴＡ）、または３ＧＰＰ無線通信ネットワークのユーザ機器（ＵＥ）であり得る。
【００２２】
受信電力レベルは、たとえば、ｍＷ、ｄＢｍまたは任意の他の好適な単位において、測定された電力レベルを示し得る。受信電力レベルを測定するほかに、受信信号は、必ずしもネットワークノードによってさらに処理されるとは限らない。ユーザデバイスのあらかじめ規定された送信電力レベルは、ネットワークノードに知られている電力レベル（たとえば、標準電力レベル）であり得る。言い換えれば、ユーザデバイスのあらかじめ規定された送信電力レベルは、ネットワークノードのメモリに記憶され得、しきい値電力レベルを決定するためにこのメモリから取り出され得る。ユーザデバイスのあらかじめ規定された送信電力レベルは、必ずしも、ユーザデバイスが実際に送信している電力レベルに対応する必要があるとは限らないが、その送信電力レベルは、標準値、平均値、初期値または任意の他の種類の好適な値にも対応し得る。あらかじめ規定された電力レベルは、設定ステップにおいてネットワークノードのメモリに書き込まれていることがあるか、または、あらかじめ規定された電力レベルの値は、たとえば、ユーザデバイスから、ネットワークノードに送信されていることがある。たとえば、ユーザデバイスのあらかじめ規定された送信電力レベルは、１５ｄＢｍであり得る。
【００２３】
１つまたは複数のパラメータに基づいて決定することは、本開示全体によれば、あらかじめ規定された計算の結果として値が決定されることを意味し得、１つまたは複数のパラメータは、計算において、たとえば、式の変数として使用される（すなわち、影響を有する）。
【００２４】
ネットワークノードのあらかじめ規定された送信電力レベルは、しきい値電力レベルを決定するときにネットワークノードが現在送信している電力レベルであり得る。追加または代替として、ネットワークノードのあらかじめ規定された送信電力レベルは、ネットワークノードのメモリに記憶された値であり得る。いくつかの実施形態では、ネットワークノードのあらかじめ規定された送信電力レベルは、標準値または平均値に対応し得る。たとえば、ネットワークノードのあらかじめ規定された送信電力レベルは、１５ｄＢｍであり得る。
【００２５】
しきい値電力レベルは、以下の式、
（３）  Ｐ＿ｔｈｒｅｓｈｏｌｄ＝Ｐ＿ｔｒａｎｓｍｉｔ＿ＮＮ／（Ｐ＿ｔｒａｎｓｍｉｔ＿ＵＤ／Ｐ＿ｒｅｃｅｉｖｅｄ）
に基づいて決定され得、ここで、Ｐ＿ｔｈｒｅｓｈｏｌｄはしきい値電力レベルであり、Ｐ＿ｔｒａｎｓｍｉｔ＿ＮＮは、ネットワークノードのあらかじめ規定された送信電力レベルであり、Ｐ＿ｔｒａｎｓｍｉｔ＿ＵＤは、ユーザデバイスのあらかじめ規定された送信電力レベルであり、Ｐ＿ｒｅｃｅｉｖｅｄは受信電力レベルである。電力レベルＰ＿ｔｒａｎｓｍｉｔ＿ＮＮがｄＢｍ単位で与えられ、電力レベルＰ＿ｔｒａｎｓｍｉｔ＿ＵＤおよびＰ＿ｒｅｃｅｉｖｅｄがｄＢｍ単位で与えられるケースでは、ｄＢｍ単位のしきい値電力レベルＰ＿ｔｈｒｅｓｈｏｌｄは、Ｐ＿ｔｈｒｅｓｈｏｌｄ（ｄＢｍ単位）＝Ｐ＿ｔｒａｎｓｍｉｔ＿ＮＮ（ｄＢｍ単位）−Ｐ＿ｔｒａｎｓｍｉｔ＿ＵＤ（ｄＢｍ単位）＋Ｐ＿ｒｅｃｅｉｖｅｄ（ｄＢｍ単位）として計算され得る。本開示では、しきい値電力レベルＰ＿ｔｈｒｅｓｈｏｌｄは、そのしきい値電力レベルが、ダウンリンク送信、すなわち、ＡＰからＳＴＡへの送信について検出されることになるエネルギーに関することを反映するために、ＥＤ＿ＤＬとも呼ばれる。
【００２６】
本開示全体によれば、「トリガ」という表現は、この表現に続くステップが、そのステップをトリガするように設定されたデバイスによって実施されるか、またはそのステップをトリガするように設定されたデバイスと通信している別のデバイスによって実施されることを意味し得る。たとえば、そのステップをトリガするように設定されたデバイスは、そのステップを実施する別のデバイスにトリガメッセージを送信し得、トリガメッセージは、そのステップを実施するために必要なさらなるパラメータを含み得る。
【００２７】
しきい値電力レベルの指示は、たとえば、しきい値電力レベルまたは他のデータの値を含み得、それらの値に基づいて、しきい値電力レベルは、ユーザデバイスにおいて調整またはセットされ得る。たとえば、しきい値電力レベルの指示は数（たとえば、１、２、３など）を備え得、その数に基づいて、ユーザデバイスは、（ユーザデバイスのメモリに記憶され得る）ルックアップテーブルから対応するしきい値電力レベルを選択し得る。
【００２８】
ネットワークノードは、受信電力レベルに基づいて、およびユーザデバイスのあらかじめ規定された送信電力レベルに基づいて、ユーザデバイスからネットワークノードに送信された信号のパスロス（ｐａｔｈ  ｌｏｓｓ）を決定するようにさらに設定され得る。そのケースでは、ネットワークノードは、ネットワークノードのあらかじめ規定された送信電力レベルに基づいて、およびパスロスに基づいて、しきい値電力レベルを決定するように設定され得る。
【００２９】
パスロスは、ユーザデバイスのあらかじめ規定された送信電力レベルと受信電力レベルとの比に対応するように決定され得る。言い換えれば、パスロス（ＰＬ）は、以下の式、
（４）  ＰＬ＝Ｐ＿ｔｒａｎｓｍｉｔ＿ＵＤ／Ｐ＿ｒｅｃｅｉｖｅｄ
に基づいて決定され得、ここで、ＰＬはパスロスであり、Ｐ＿ｔｒａｎｓｍｉｔ＿ＵＤは、ユーザデバイスのあらかじめ規定された送信電力レベルであり、Ｐ＿ｒｅｃｅｉｖｅｄは受信電力レベルである。電力レベルＰ＿ｔｒａｎｓｍｉｔ＿ＵＤおよびＰ＿ｒｅｃｅｉｖｅｄがｄＢｍ単位で与えられるケースでは、ｄＢ単位のパスロスは、ＰＬ（ｄＢ単位）＝Ｐ＿ｔｒａｎｓｍｉｔ＿ＵＤ（ｄＢｍ単位）−Ｐ＿ｒｅｃｅｉｖｅｄ（ｄＢｍ単位）として計算され得る。
【００３０】
しきい値電力レベルは、ネットワークノードのあらかじめ規定された送信電力レベルとパスロスとの比に対応するように決定され得る。言い換えれば、しきい値電力レベルは、以下の式、
（５）  Ｐ＿ｔｈｒｅｓｈｏｌｄ＝Ｐ＿ｔｒａｎｓｍｉｔ＿ＮＮ／ＰＬ
に基づいて決定され得、ここで、Ｐ＿ｔｈｒｅｓｈｏｌｄはしきい値電力レベルであり、Ｐ＿ｔｒａｎｓｍｉｔ＿ＮＮは、ネットワークノードのあらかじめ規定された送信電力レベルであり、ＰＬはパスロスである。電力レベルＰ＿ｔｒａｎｓｍｉｔ＿ＮＮがｄＢｍ単位で与えられ、パスロスＰＬがｄＢ単位で与えられるケースでは、ｄＢｍ単位のしきい値電力レベルＰ＿ｔｈｒｅｓｈｏｌｄは、Ｐ＿ｔｈｒｅｓｈｏｌｄ（ｄＢｍ単位）＝Ｐ＿ｔｒａｎｓｍｉｔ＿ＮＮ（ｄＢｍ単位）−ＰＬ（ｄＢ単位）として計算され得る。本開示では、しきい値電力レベルＰ＿ｔｈｒｅｓｈｏｌｄは、そのしきい値電力レベルが、ダウンリンク送信、すなわち、ＡＰからＳＴＡへの送信について検出されることになるエネルギーに関することを反映するために、ＥＤ＿ＤＬとも呼ばれる。
【００３１】
ネットワークノードは、ユーザデバイスからの、ネットワークノードによって受信されるべき信号についての所望の最大受信電力レベルをセットすることと、最大受信電力レベルに基づいて、およびパスロスに基づいて、ユーザデバイスによって送信される信号についての最大送信電力レベルを決定することと、ユーザデバイスに最大送信電力レベルの指示を送信することをトリガすることとを行うようにさらに設定され得る。
【００３２】
所望の最大受信電力レベルは、あらかじめ規定された値にセットされ得る。あらかじめ規定された値は、たとえば、ネットワークノードのメモリに記憶され得る。たとえば、所望の最大受信電力レベルは−９７ｄＢｍに対応し得る。所望の最大電力レベルは、別のユーザデバイスからの、ネットワークノードによって受信される信号の受信に著しい影響を及ぼさない値にセットされ得る。
【００３３】
上記に鑑みて、所望の最大受信電力レベルをセットすることは、１つまたは複数の計算ステップを含み得るが、所望の最大受信電力レベルをセットすることはまた、あらかじめ規定された、知られている電力レベルを考慮するステップに関し得る。
【００３４】
最大送信電力レベルは、最大受信電力レベルとパスロスとの積に対応するように決定され得る。言い換えれば、最大送信電力レベルは、以下の式、
（６）  Ｐ＿ｔｒａｎｓｍｉｔ＿ｍａｘ＿ＵＤ＝Ｐ＿ｒｅｃｅｉｖｅｄ＿ｍａｘ＿ＮＮ＊ＰＬ
に基づいて決定され得、ここで、Ｐ＿ｔｒａｎｓｍｉｔ＿ｍａｘ＿ＵＤは、ユーザデバイスによって送信される信号についての最大送信電力レベルであり、Ｐ＿ｒｅｃｅｉｖｅｄ＿ｍａｘ＿ＮＮは、ユーザデバイスからの、ネットワークノードによって受信されるべき信号についての所望の最大受信電力レベルであり、ＰＬはパスロスである。電力レベルＰ＿ｒｅｃｅｉｖｅｄ＿ｍａｘ＿ＮＮがｄＢｍ単位で与えられ、パスロスＰＬがｄＢ単位で与えられるケースでは、ｄＢｍ単位の最大送信電力レベルＰ＿ｔｒａｎｓｍｉｔ＿ｍａｘ＿ＵＤは、Ｐ＿ｔｒａｎｓｍｉｔ＿ｍａｘ＿ＵＤ（ｄＢｍ単位）＝Ｐ＿ｒｅｃｅｉｖｅｄ＿ｍａｘ＿ＮＮ（ｄＢｍ単位）＋ＰＬ（ｄＢ単位）として計算され得る。本開示では、最大送信電力レベルはＴＸ＿ＵＬとも呼ばれる。
【００３５】
最大送信電力レベルの指示は、たとえば、最大送信電力レベルまたは他のデータの値を含み得、それらの値に基づいて、最大送信電力レベルは、ユーザデバイスにおいて調整またはセットされ得る。たとえば、最大送信電力レベルの指示は数（たとえば、１、２、３など）を備え得、その数に基づいて、ユーザデバイスは、ルックアップテーブルから対応する最大送信電力レベルを選択し得る。
【００３６】
ネットワークノードは、ユーザデバイスからの、ネットワークノードによって受信されるべき信号についての所望の最大受信電力レベルを、ネットワークノードによって受信される信号の熱雑音電力レベルのあらかじめ規定された比率に対応するようにセットするように設定され得る。
【００３７】
熱雑音電力レベルは、ネットワークノードに知られている値であり得る。たとえば、熱雑音電力レベルは、ネットワークノードのメモリに記憶された値であり得る。熱雑音電力レベルは、２０ＭＨｚの帯域幅における熱雑音電力レベルであり得る。熱雑音電力レベルは−９４ｄＢｍであり得る。あらかじめ規定された比率は、ｄＢ単位の値として与えられ得る。言い換えれば、最大受信電力レベルは、熱雑音電力レベルとあらかじめ規定された値との比に対応するように決定され得る。あらかじめ規定された値がｄＢ単位で与えられ得るので、あらかじめ規定された値はまた、オフセット値（Ｐ＿ｏｆｆｓｅｔ）と見なされ得る。このオフセット値は３ｄＢであり得る。言い換えれば、最大受信電力レベルは、以下の式、
（７）  Ｐ＿ｒｅｃｅｉｖｅｄ＿ｍａｘ＿ＮＮ＝Ｐ＿ｎｏｉｓｅ／Ｐ＿ｏｆｆｓｅｔ
に基づいて決定され得、ここで、Ｐ＿ｒｅｃｅｉｖｅｄ＿ｍａｘ＿ＮＮは、ユーザデバイスからの、ネットワークノードによって受信されるべき信号についての所望の最大受信電力レベルであり、Ｐ＿ｎｏｉｓｅは熱雑音電力レベルであり、Ｐ＿ｏｆｆｓｅｔは、あらかじめ規定された比率を規定する。雑音電力レベルＰ＿ｎｏｉｓｅがｄＢｍ単位で与えられ、あらかじめ規定された比率Ｐ＿ｏｆｆｓｅｔがｄＢ単位で与えられるケースでは、ｄＢｍ単位の最大受信電力レベルＰ＿ｒｅｃｅｉｖｅｄ＿ｍａｘ＿ＮＮは、Ｐ＿ｒｅｃｅｉｖｅｄ＿ｍａｘ＿ＮＮ（ｄＢｍ単位）＝Ｐ＿ｎｏｉｓｅ（ｄＢｍ単位）−Ｐ＿ｏｆｆｓｅｔ（ｄＢ単位）として計算され得る。
【００３８】
ネットワークノードは、ユーザデバイスから送信されるデータを受信するようにさらに設定され得る。たとえば、ネットワークノードは、２ＭＨｚの帯域幅を有するチャネルなど、狭帯域幅チャネルにおいてデータを受信するように設定され得る。ユーザデバイスからネットワークノードへの通信は、アップリンク、アップリンク通信、アップリンクチャネルなどと呼ばれることがある。ネットワークノードからユーザデバイスへの通信は、ダウンリンク、ダウンリンク通信、ダウンリンクチャネルなどと呼ばれることがある。データは、しきい値電力レベルがユーザデバイスに送信された後、ネットワークノードから受信され得る。さらに、データは、そのデータが送信されるチャネルにおいてユーザデバイスがクリアチャネルアセスメントを正常に実施した後、ユーザデバイスによって送信され得る。
【００３９】
ネットワークノードは、１つまたは複数のリソースユニット（ＲＵ）が特定のユーザデバイスへのおよび／またはからの送信のために割り振られる直交周波数分割多元接続（ＯＦＤＭＡ）変調方式を使用して、信号を送信するようにさらに設定され得る。このケースでは、ネットワークノードは、ユーザデバイスによって送信された信号を受信することと、受信された信号に基づいて、受信された信号がユーザデバイスによって送信された、ネットワークノードによって使用されるＯＦＤＭＡ変調方式の１つまたは複数のＲＵを決定することと、ネットワークノードからさらなるユーザデバイスへの送信のために利用可能なＲＵのリストから１つまたは複数のＲＵを除外することと、ＲＵのリストのうちの１つまたは複数のＲＵを使用することによってさらなるユーザデバイスにデータを送信することをトリガすることとを行うようにさらに設定され得る。
【００４０】
ＯＦＤＭＡ変調方式は、たとえば、ＩＥＥＥ８０２．１１ａｘ規格のＯＦＤＭＡ変調方式であり得る。ＯＦＤＭＡ変調方式を使用して送信される信号は、２０ＭＨｚの帯域幅内で分散された１つまたは複数のリソースユニット（ＲＵ）を使用して送信され得る。そのケースでは、ＩＥＥＥ  ８０２．１１ａｘ規格の２０ＭＨｚ帯域幅についてのＯＦＤＭＡ変調方式が使用され得る。
【００４１】
ユーザデバイスから受信された信号は、狭帯域チャネルにおいて、たとえば、２ＭＨｚの帯域幅を有するチャネルにおいて送信された信号であり得る。概して、ユーザデバイスから受信された信号は、ネットワークノードによって実施されるＯＦＤＭＡ送信のために使用される帯域幅よりも小さい帯域幅を有するチャネルにおいて送信され得る。信号がユーザデバイスによって送信されるチャネルの帯域幅は、ＯＦＤＭＡ変調方式の１つのＲＵに等しいか、またはＯＦＤＭＡ変調方式の１つのＲＵよりも小さくなり得る。
【００４２】
本開示による「さらなるユーザデバイス」という表現は、「さらなるユーザデバイス」を「ユーザデバイス」と区別するために使用されるにすぎず、追加の技術的意味を有しない。したがって、代替的に、また、「第１のユーザデバイス」という表現は「ユーザデバイス」のために使用され得、「第２のユーザデバイス」という表現は「さらなるユーザデバイス」のために使用され得る。同様の考えが「さらなるＳＴＡ」という表現について成り立ち、「さらなるＳＴＡ」は、同義的に「第２のＳＴＡ」と呼ばれることもある。
【００４３】
ネットワークノードによって使用されるＯＦＤＭＡ変調方式の１つまたは複数のＲＵを決定するステップは、それの周波数帯域幅が、ユーザデバイスからの受信された信号の周波数帯域幅と少なくとも部分的に重複する、１つまたは複数のＲＵを決定することを含み得る。たとえば、受信された信号の帯域幅が１つのＲＵよりも小さい場合、それは、信号が完全に１つのＲＵの帯域幅内にあるケースであり得、このケースでは、このＲＵが決定される。しかしながら、受信された信号が２つまたはそれ以上のＲＵと重複するケースでは、これらの２つまたはそれ以上のＲＵが決定され得る。
【００４４】
１つまたは複数のＲＵを除外することは、これらのＲＵが、ＯＦＤＭＡ変調方式を使用してさらなるユーザデバイスへのデータ送信が実施される１つまたは複数のＲＵについての以降の選択プロセスにおいて、考慮されないことを意味し得る。言い換えれば、ネットワークノードは、さらなるユーザデバイスへの以降のデータ送信のために、決定された１つまたは複数のＲＵを使用しないことになる。
【００４５】
上述のように、ネットワークノードは、１つまたは複数のリソースユニット（ＲＵ）が特定のユーザデバイスへのおよび／またはからの送信のために割り振られる直交周波数分割多元接続（ＯＦＤＭＡ）変調方式を使用して、信号を送信するように設定され得る。このケースでは、ネットワークノードは、ユーザデバイスによって送信された信号を受信することと、受信された信号に基づいて、受信された信号がユーザデバイスによって送信された、ネットワークノードによって使用されるＯＦＤＭＡ変調方式の１つまたは複数のＲＵを決定することと、さらなるユーザデバイスからネットワークノードへの送信のために利用可能なＲＵのリストから１つまたは複数のＲＵを除外することと、ＲＵのリストのうちの１つまたは複数のＲＵを使用することによってさらなるユーザデバイスからネットワークノードへの送信をスケジュールすることをトリガすることとを行うようにさらに設定され得る。
【００４６】
ＯＦＤＭＡ変調方式に関して、および受信するステップと決定するステップとに関して、上記で説明されたものと同じ態様は、このケースにおいても有効であり得る。さらに、除外するステップに関して、上述の除外するステップに関する同様の考えが適用され得る。
【００４７】
１つまたは複数のＲＵを除外することは、これらのＲＵが、さらなるユーザデバイスからネットワークノードへのデータ送信がスケジュールされる１つまたは複数のＲＵについての以降の選択プロセスにおいて、考慮されないことを意味し得、スケジュールされたデータ送信は、ＯＦＤＭＡ変調方式を使用して実施される。スケジュールすることは、ネットワークノードによってトリガ（および／または実施）される。言い換えれば、ネットワークノードは、さらなるユーザデバイスからネットワークノードへのデータ送信の以降のスケジューリングのために、決定された１つまたは複数のＲＵを使用しないことになる。
【００４８】
ネットワークノードは、さらなるユーザデバイスからネットワークノードへの送信をスケジュールすることをトリガするステップが、さらなるユーザデバイスにスケジューリングメッセージを送信するステップを含むように設定され得、スケジューリングメッセージは、さらなるユーザデバイスからネットワークノードへの送信のためにさらなるユーザデバイスによって使用されるべきＲＵのリストのうちの１つまたは複数のＲＵの指示を含む。
【００４９】
そのやり方で、ネットワークノードは、１つまたは複数のＲＵを、さらなるユーザデバイスからネットワークノードに送信されるデータのアップリンク通信に割り振ることができる。ネットワークノードは、それにより、無線ネットワークにおいて実施される個々の通信（特に、ＯＦＤＭＡ通信）の概観を維持することができる。たとえば、ネットワークノードは、他のＲＵを、第２のさらなるユーザデバイスからネットワークノードへのデータ送信のアップリンク通信に割り振ることができる。これらの他のＲＵはまた、前述の除外された１つまたは複数のＲＵを含まないことがある。
【００５０】
無線通信ネットワークは、ＩＥＥＥ８０２．１１規格ファミリーにおいて動作する無線ローカルエリアネットワーク（ＷＬＡＮ）であり得、ネットワークノードはＷＬＡＮのアクセスポイントを備え得る。アクセスポイントは、使用されるＩＥＥＥ８０２．１１規格によるＷＬＡＮのアクセスポイント（ＡＰ）であり得る。
【００５１】
無線通信ネットワークは、ＩＥＥＥ８０２．１１規格ファミリーにおいて動作する無線ローカルエリアネットワーク（ＷＬＡＮ）であり得、ユーザデバイスはＷＬＡＮの局（ＳＴＡ）を備え得る。局は、使用されるＩＥＥＥ８０２．１１規格によるＷＬＡＮの局（ＳＴＡ）であり得る。
【００５２】
ネットワークノードは、第１のタイプのユーザデバイスおよび第２のタイプのユーザデバイスと通信するように設定され得、第２のタイプのユーザデバイスは、第１のタイプのユーザデバイスよりも広い帯域幅をサポートする。
【００５３】
言い換えれば、ネットワークノードは、第１の帯域幅を使用して第１のタイプのユーザデバイスと通信し、第２の帯域幅を使用して第２のタイプのユーザデバイスと通信するように設定され得、第１の帯域幅は第２の帯域幅よりも狭い。本開示内では、第１の帯域幅は狭帯域幅（ＮＢ）とも呼ばれ、第２の帯域幅は広帯域幅とも呼ばれる。たとえば、狭帯域幅は２ＭＨｚの帯域幅を指すことがある。さらに、広帯域幅は２０ＭＨｚの帯域幅を指すことがある。
【００５４】
第１のタイプのユーザデバイスは、たとえば、２ＭＨｚ以下の帯域幅内の通信のみをサポートし得る。
【００５５】
第２のタイプのユーザデバイスは、たとえば、１０ＭＨｚ以上（たとえば、２０ＭＨｚ）の帯域幅内の通信をサポートし得る。
【００５６】
第４の態様によれば、無線通信ネットワークにおいて通信を実施するためのユーザデバイスが提供される。ユーザデバイスは、無線通信ネットワークのネットワークノードから、無線通信ネットワークにおいてユーザデバイスによって実施されるべきクリアチャネルアセスメントについてのしきい値電力レベルを受信することと、ネットワークノードから、ユーザデバイスによって送信される信号についての最大送信電力レベルを受信することと、無線通信ネットワークのチャネルにおいてクリアチャネルアセスメントを実施することをトリガすることと、チャネルがアイドルであると決定されたケースにおいて、最大送信電力レベルに等しいかまたはそれよりも低い送信電力レベルで、無線通信ネットワークにおいてネットワークノードにデータを送信することとを行うように設定される。
【００５７】
第５の態様によれば、無線通信ネットワークにおいて通信を実施するためのユーザデバイスが提供される。ユーザデバイスは、ユーザデバイスを無線通信ネットワークに通信可能に結合するように適応されたネットワークインターフェースと、プロセッサと、メモリとを備える。メモリは、ユーザデバイスに、無線通信ネットワークのネットワークノードから、無線通信ネットワークにおいてユーザデバイスによって実施されるべきクリアチャネルアセスメントについてのしきい値電力レベルを受信することと、ネットワークノードから、ユーザデバイスによって送信される信号についての最大送信電力レベルを受信することと、無線通信ネットワークのチャネルにおいてクリアチャネルアセスメントを実施することをトリガすることと、チャネルがアイドルであると決定されたケースにおいて、最大送信電力レベルに等しいかまたはそれよりも低い送信電力レベルで、無線通信ネットワークにおいてネットワークノードにデータを送信することとを行わせるためにプロセッサによって実行可能な命令を含んでいる。
【００５８】
第６の態様によれば、無線通信ネットワークにおいて通信を実施するためのユーザデバイスが提供される。ユーザデバイスは、無線通信ネットワークのネットワークノードから、無線通信ネットワークにおいてユーザデバイスによって実施されるべきクリアチャネルアセスメントについてのしきい値電力レベルを受信するように設定された第１の受信ユニットと、ネットワークノードから、ユーザデバイスによって送信される信号についての最大送信電力レベルを受信するように設定された第２の受信ユニットと、無線通信ネットワークのチャネルにおいてクリアチャネルアセスメントを実施することをトリガするように設定されたトリガリングユニットと、チャネルがアイドルであると決定されたケースにおいて、最大送信電力レベルに等しいかまたはそれよりも低い送信電力レベルで、無線通信ネットワークにおいてネットワークノードにデータを送信するように設定された送信ユニットとを備える。
【００５９】
第４〜第６の態様のいずれかのユーザデバイスは、第１〜第３の態様のいずれかのネットワークノードが信号を受信するユーザデバイスに対応し得る。第１〜第３の態様のネットワークノードの詳細に関して上記で説明された詳細は、第４〜第６の態様のユーザデバイスに相応に適用され得る。
【００６０】
第７の態様によれば、無線通信ネットワークにおいて通信を実施するための方法が提供される。本方法はネットワークノードによって実施され、本方法は、無線通信ネットワークにおいてユーザデバイスによって送信された信号を受信するステップと、信号がネットワークノードによって受信された受信電力レベルを測定することと、ネットワークノードのあらかじめ規定された送信電力レベルに基づいて、ユーザデバイスのあらかじめ規定された送信電力レベルに基づいて、および受信電力レベルに基づいて、ユーザデバイスによって実施されるべきクリアチャネルアセスメントについてのしきい値電力レベルを決定するステップと、ユーザデバイスにしきい値電力レベルの指示を送信することをトリガすることとを含む。
【００６１】
第７の態様の方法は、第１〜第３の態様のいずれかのデバイスによって実施され得る。
【００６２】
第１〜第３の態様のネットワークノードの詳細はまた、ネットワークノードが第７の態様の方法を実施するように設定されたという意味で、第７の態様の方法に適用され得る。言い換えれば、第７の態様の方法は、第１〜第３の態様の上述のデバイス特徴に対応するステップを含み得る。
【００６３】
第８の態様によれば、無線通信ネットワークにおいて通信を実施するための方法が提供される。本方法はユーザデバイスによって実施され、本方法は、無線通信ネットワークのネットワークノードから、無線通信ネットワークにおいてユーザデバイスによって実施されるべきクリアチャネルアセスメントについてのしきい値電力レベルを受信するステップと、ネットワークノードから、ユーザデバイスによって送信される信号についての最大送信電力レベルを受信するステップと、無線通信ネットワークのチャネルにおいてクリアチャネルアセスメントを実施することをトリガするステップと、チャネルがアイドルであると決定されたケースにおいて、最大送信電力レベルに等しいかまたはそれよりも低い送信電力レベルで、無線通信ネットワークにおいてネットワークノードにデータを送信するステップとを含む。
【００６４】
第８の態様の方法は、第４〜第６の態様のいずれかのデバイスによって実施され得る。
【００６５】
第４〜第６の態様のユーザデバイスの詳細はまた、ユーザデバイスが第８の態様の方法を実施するように設定されたという意味で、第８の態様の方法に適用され得る。言い換えれば、第８の態様の方法は、第４〜第６の態様、および適用可能な場合、第１〜第３の態様の上述のデバイス特徴に対応するステップを含み得る。
【００６６】
第９の態様によれば、コンピュータプログラム製品が提供される。コンピュータプログラム製品は、そのコンピュータプログラム製品が１つまたは複数の処理デバイス上で実行されたとき、本開示で説明される方法のいずれかのステップを実施するためのプログラムコード部分を含む。処理デバイスは、たとえば、本開示によるネットワークノードまたはユーザデバイスであり得るか、または本開示によるネットワークノードまたはユーザデバイスを備え得る。
【００６７】
第９の態様のコンピュータプログラム製品は、たとえば、光記録媒体、磁気記録媒体、固体記録媒体など、１つまたは複数のコンピュータ可読記録媒体上に記憶され得る。
【００６８】
本技法の実施形態のさらなる詳細が、同封の図面を参照しながら説明される。
【図面の簡単な説明】
【００６９】
【図１】ＷＬＡＮにおいて局（ＳＴＡ１）によって実施される、エネルギー検出（ＥＤ）およびプリアンブル検出（ＰＤ）の例示を示す図である。
【図２】本開示の技法がそれに基づいて示される構成の一例を示す図である。
【図３】本開示の技法がそれに基づいて示される構成のさらなる例を示す図である。
【図４】ＩＥＥＥ８０２．１１ａｘにおける２０ＭＨｚチャネルのために使用されるリソースユニット（ＲＵ）を示す図である。
【図５】本開示による、ネットワークノードによって実施される、無線通信ネットワークにおける通信を実施するための方法のフローチャートである。
【図６】本開示による、無線通信ネットワークにおける通信を実施するためのネットワークノードの概略表現を示す図である。
【図７】本開示による、ユーザデバイスによって実施される、無線通信ネットワークにおける通信を実施するための方法のフローチャートである。
【図８】本開示による、無線通信ネットワークにおける通信を実施するためのユーザデバイスの概略表現を示す図である。
【図９】本開示による、無線通信ネットワークにおける通信を実施するための、ネットワークノードまたはユーザデバイスであり得る、デバイスの概略表現を示す図である。
【発明を実施するための形態】
【００７０】
以下の説明では、限定ではなく説明の目的で、本明細書で開示される技法の完全な理解を提供するために、特定のネットワーク環境など、特定の詳細が記載される。本技法が、これらの特定の詳細から逸脱する他の実施形態において実施され得ることが、当業者には明らかであろう。その上、以下の実施形態は、主に、無線ローカルエリアネットワーク（ＷＬＡＮ）およびＩＥＥＥ８０２．１１規格ファミリー（たとえば、ＷＬＡＮまたはＷｉ−Ｆｉとも呼ばれるＩＥＥＥ８０２．１１ａ、ｇ、ｎ、ａｘまたはａｃ）について説明されるが、本明細書で説明される技法がまた、キャリア検知多重アクセス／衝突回避（ＣＳＭＡ／ＣＤ）に基づく多くの他の無線通信ネットワークにおいて実装され得ることが容易に明らかである。そのような通信ネットワークは、Ｌｏｎｇ  Ｔｅｒｍ  Ｅｖｏｌｕｔｉｏｎ（ＬＴＥ）および／または規格ファミリーＩＥＥＥ８０２．１６によるワールドワイドインターオペラビリティフォーマイクロウェーブアクセス（ＷｉＭＡＸ）など、３ＧＰＰ規格の下で動作する３Ｇ、４Ｇまたは５Ｇ無線通信ネットワークを含み得る。
【００７１】
その上、本明細書で説明されるサービス、機能、ステップおよびユニットは、プログラムされたマイクロプロセッサ、特定用途向け集積回路（ＡＳＩＣ）、フィールドプログラマブルゲートアレイ（ＦＰＧＡ）、デジタル信号プロセッサ（ＤＳＰ）、または、たとえば、高度ＲＩＳＣマシン（ＡＲＭ）を含む汎用コンピュータとともに機能するソフトウェアを使用して実装され得ることを、当業者は諒解されよう。以下の実施形態は、主に、方法およびデバイスを伴うコンテキストにおいて説明されるが、実施形態はまた、コンピュータプログラム製品において実施され、ならびにコンピュータプロセッサとプロセッサに結合されたメモリとを備えるシステムにおいて実施され得、メモリは、サービス、機能、ステップを実施し、本明細書で開示されるユニットを実装し得る１つまたは複数のプログラムで符号化されることも諒解されよう。
【００７２】
さらに、以下では、方法のいくつかのステップを実施するかまたは実施するように設定された特定のデバイス（特にネットワークノードおよびユーザデバイス）が説明される。しかしながら、それらのステップは、必ずしも１つの単一のデバイスによって実施されなければならないとは限らないが、互いと通信可能に結合された異なるデバイスによって実施され得ることが、当業者によって諒解されよう。たとえば、２つ以上のデバイスが提供され得、および／または２つ以上のプロセッサが提供され得、ステップは、デバイスおよび／またはプロセッサの間で分散される。さらに、本明細書で説明される方法のうちの１つまたは複数のステップを実施するために、クラウドコンピューティング環境が使用され得る。
【００７３】
本開示によれば、および限定はしないが、チャネル状態に基づいて局（ＳＴＡ）によって使用されるエネルギー検出（ＥＤ）しきい値を適応させることが提案される。さらに、好適なしきい値レベルがアクセスポイント（ＡＰ）によって決定され、関連するＳＴＡに通信され得ることが提案される。しきい値は、ダウンリンク（ＤＬ）状態に基づいて決定され得、しきい値が進行中の送信との衝突を防ぐかまたは制限するという制約の下でチャネル使用の確率が最大にされるように選択され得る。さらに、ＡＰは、使用されるべき最大送信電力を決定し得る。このようにして、ＳＴＡからの送信は、レガシーシステムの性能を劣化させるためにＥＤのみを使用して回避され得る。
【００７４】
概して、および限定はしないが、本開示は、１つのアクセスポイント（ＡＰ）が複数の局（ＳＴＡ）とワイヤレス通信しているＷＬＡＮ環境において実装され得る。ＳＴＡのうちの少なくとも１つは、たとえば、２０ＭＨｚの広帯域幅を有する広帯域チャネルにおいてＡＰと通信するように設定されたレガシーＳＴＡ（または広帯域ＳＴＡ）であり得る。さらに、ＳＴＡのうちの少なくとも１つは、たとえば、２ＭＨｚの狭帯域幅を有する狭帯域チャネルにおいてＡＰと通信するように設定されたＳＴＡ（狭帯域ＳＴＡ、ＮＢ−ＳＴＡ、またはＮＢ−Ｗｉ−Ｆｉ  ＳＴＡ）であり得る。そのコンスタレーションでは、ＮＢ−ＳＴＡが、狭帯域チャネルにおいて動作するように設定されるにすぎず、広帯域ＳＴＡによって送信されたプリアンブルを検出することが可能でないケースがあり得る。したがって、ＮＢ−ＳＴＡは、（たとえば、データ送信がＡＰによってスケジュールされていないとき）ＮＢ−ＳＴＡがＡＰにデータを送信しようとするケースにおいて、ＰＤを実施することが可能でないことがあり、クリアチャネルアセスメントを使用するためにＥＤに依拠しなければならない。
【００７５】
本開示の説明を容易にするために、特定のシステムパラメータが使用される。しかしながら、当業者には明らかであるように、本開示は、パラメータのこれらの選定に限定されない。また、使用される専門用語は、ＩＥＥＥ８０２．１１において通常使用される専門用語である。たとえば、アクセスポイント（ＡＰ）という用語は、ネットワークノードを指すときに使用される。しかしながら、等価な用語は、たとえば、基地局、ノードＢ（ＮＢ）、またはエボルブドノードＢ（ｅＮＢ）である。同様に、局（ＳＴＡ）という用語は、非ネットワークノードを指すときに使用される。等価な用語は、ユーザ機器（ＵＥ）、ユーザデバイス、デバイスなどである。
【００７６】
ＡＰが２つの異なるタイプのＳＴＡをサポートすると仮定し、すなわち、一方が、広帯域幅において高データレートにおいて送信および受信することが可能であるＳＴＡ（広帯域ＳＴＡ）、他方が、狭帯域幅を使用して、より低いデータレートにおいて送信および受信することに限定されるＳＴＡ（狭帯域ＳＴＡ）。より詳細には、前者のＳＴＡ（広帯域ＳＴＡ）の一例は、２０ＭＨｚ、あるいは潜在的により多い、たとえば４０ＭＨｚ、８０ＭＨｚ、さらに１６０ＭＨｚの信号を送信および受信することが可能な、８０２．１１ａ、ｂ、ｇ、ｎ、ａｃ、またはａｘに準拠するＳＴＡになる。
【００７７】
上述の規格のいずれかに準拠するＳＴＡによって送られたすべての広帯域パケットは、プリアンブルを含んでいる。詳細には、これ以降レガシープリアンブルと呼ばれる、このプリアンブルは、後方互換性がある信号（送信）検出を確実にするための手段としてすべてのバージョンによって使用される。したがって、レガシー機器は、同じレガシーデバイスによって復号可能でないフォーマットで実際のデータが送信され得るパケットについてＰＤを実施し得る。
【００７８】
この後方互換性手法は、追加のオーバーヘッドというコストをもたらす。しかしながら、後方互換性手法は、単純でロバストな機構である。本質的に、この手法は、規格の将来世代が規格のより古いバージョンをもサポートすることを必要とする。過去に、規格を発展させることが、サポートされるデータレートを増加させる方向にあったとき、これは自然になり、規格の古いバージョンが、しばしば、より新しいバージョンのサブセットとして見られ得るので、追加コストなしに本質的に得られる。しかしながら、規格のより新しいバージョンが、代わりにより低い電力消費およびより低いコストを目標とするとき、レガシー動作をサポートすることはまた、これらの目的を達成する可能性を完全に損なうことがある。極めて明らかな例として、レガシー信号が２０ＭＨｚ幅であり、規格の新しいバージョンが、帯域幅を１０分の１の２ＭＨｚまで低減することによって低電力消費および低コストを達成することを目標とする場合、２０ＭＨｚ受信をもサポートすることは、意味をなさない。
【００７９】
したがって、レガシープリアンブルが２０ＭＨｚ上で送られるので、レガシープリアンブルは、２ＭＨｚ帯域幅のみをサポートするＳＴＡ（ＮＢ−ＳＴＡ）によって復号され得ない。したがって、ＮＢ−Ｗｉ−Ｆｉ  ＳＴＡについて残っている唯一のオプションは、チャネルがアイドルであるのかビジーであるのかをＮＢ−Ｗｉ−Ｆｉ  ＳＴＡが決定しなければならないケースにおいてＥＤに依拠することである。上記で説明されたように、デフォルトパラメータを用いてＥＤを実施することは、別のＳＴＡが、ビジーとして宣言されるべきチャネルについて十分に近い確率が極めて小さいので、ほとんど機能しないことになり、したがって、チャネルは、誤ってアイドルとして宣言される可能性が高く、潜在的に衝突を引き起こすことになる。本開示では、この問題は対処される。
【００８０】
目的は、ＮＢ−ＳＴＡがＥＤを実施することが可能であり、これに基づいて、ＮＢ−ＳＴＡが送信することを許容されるか否かを決定するべきであるということである。また、ＮＢ−ＳＴＡが送信することを許容された場合、これはまた、限られた送信電力の制約の下であり得る。
【００８１】
進行中の送信に対して危害が与えられないことを確実にするために、（ＡＰとさらなるＳＴＡ、たとえば、広帯域ＳＴＡとの間の）潜在的なＤＬ送信およびＵＬ送信は、別々に考慮される。
【００８２】
ＤＬ（ダウンリンク、ＡＰからさらなるＳＴＡへの送信）：送信がＤＬにおけるもの、すなわち、ＡＰからさらなるＳＴＡへのものである場合、ＡＰは、ＮＢ−ＳＴＡがどれほどのレベルで信号を受信することになるかを正確に推定することができる。この電力レベルは、これが、ＤＬ送信が進行中であるかどうかを決定するために、ＮＢ−ＳＴＡのために使用するのに適しているであろうしきい値レベルであることを反映するために、ＥＤ＿ＤＬとして示される。ＥＤ＿ＤＬは、本明細書ではＰ＿ｔｈｒｅｓｈｏｌｄとも呼ばれる。
【００８３】
ＵＬ（アップリンク、さらなるＳＴＡからＡＰへの送信）：送信がＵＬにおけるもの、すなわち、さらなるＳＴＡからＡＰへのものである場合、ＮＢ−ＳＴＡにおいて受信される電力は、ＳＴＡのうちのどの１つがＵＬにおいて送信しているかに依存することになる。これは、かなり変動することがあり、特に、それは、ＳＴＡが、単に、まったく聴取され得ないためであり得る。ＮＢ−ＳＴＡがチャネルにアクセスすることを可能にするために、危害が加えられないことを依然として確実にしながら、ＡＰは、異なる手法を使用する。一方、ＵＬ送信のケースでは、ＡＰは、ＵＬにおいて潜在的に送信している異なるＳＴＡからの受信電力がおおよそどれほどになるかを知っている。ＡＰはまた、ＮＢ−Ｗｉ−Ｆｉ  ＳＴＡとＡＰとの間のパスロスを概算的に知っているので、ＡＰは、ＮＢ−ＳＴＡが、別のＳＴＡからのＵＬ送信を著しく劣化することなしにどれほどの電力において送信することができるかを決定することができる。この最大許容ＴＸ電力は、これがＵＬについての送信電力に関する限界であることを反映するために、ＴＸ＿ＵＬとして示される。ＴＸ＿ＵＬは、Ｐ＿ｔｒａｎｓｍｉｔ＿ｍａｘ＿ＵＤとも呼ばれる。
【００８４】
したがって、ＥＤ＿ＤＬの使用によって、ＮＢ−Ｗｉ−Ｆｉ  ＳＴＡが送信を開始しないであろうことが確実にされるので、ＤＬ送信が損なわれないことが確実にされる。しかしながら、ＵＬの場合、危害が引き起こされないことが確実にされるやり方は、ＮＢ−ＳＴＡのＴＸ電力を潜在的に制限することによるものである。
【００８５】
したがって、ＵＬの場合、衝突を回避するための試みは行われず、代わりに、保証されることは、ＮＢ−Ｗｉ−Ｆｉ送信が広帯域システムと同時に行われた場合、広帯域システムが依然として機能することになるように、ＮＢ−Ｗｉ−Ｆｉ信号が十分に弱いことである。ＮＢ−Ｗｉ−Ｆｉ信号は正しく受信されないことがあるが、これはただ、パケットが肯定応答されないときに競合ベースシステムにおいて新しい試みが通常行われるとおりに、ＮＢ−ＷｉＦｉ  ＳＴＡが新しい試みを行わなければならないという影響を有する。
【００８６】
いくつかの実施形態によれば、ＡＰは、ＥＤ＿ＤＬ値、ＴＸ＿ＵＬ値を決定し、これらの２つの値をＮＢ−Ｗｉ−Ｆｉ  ＳＴＡに通信する。ＮＢ−Ｗｉ−Ｆｉ  ＳＴＡは、次いで、ＮＢ−Ｗｉ−Ｆｉ  ＳＴＡがチャネルにアクセスすることができるどうかを決定するために、およびＮＢ−Ｗｉ−Ｆｉ  ＳＴＡがチャネルにアクセスすることができる場合にどれほどの送信電力が使用され得るかを決定するためにこれらの値を使用する。ＥＤ＿ＤＬとＴＸ＿ＵＬの両方が、ＡＰに対するそれらの相対ロケーションに応じて、異なるＮＢ−Ｗｉ−Ｆｉ  ＳＴＡについて大きく異なり得ることに留意されたい。しかしながら、いくつかの実施形態では、ＥＤ＿ＤＬのみが決定され、ＮＢ−ＳＴＡに通信され、ＴＸ＿ＵＬ値は決定および通信されない。
【００８７】
ＥＤ＿ＤＬ値およびＴＸ＿ＵＬ値がそれに従って決定および送信される、上記で説明された実施形態の数値例を与えるために、図２が考慮される。図２は、ＡＰ１５に接続された１つのレガシーＳＴＡ（ＳＴＡ１）１１と１つのＮＢ−Ｗｉ−Ｆｉ  ＳＴＡ（ＮＢ−ＳＴＡ）１３とをもつ単純な配置の一例を示している。
【００８８】
図２に示されているように、例によれば、ＡＰ１５とＳＴＡ１  １１との間のパスロスは８０ｄＢであり、ＡＰ１５とＮＢ−ＳＴＡ１３との間のパスロスは１００ｄＢであり、ＳＴＡ１  １１とＮＢ−ＳＴＡ１３との間のパスロスは１２０ｄＢである。
【００８９】
以下では、従来技術の問題を示すために、従来技術のＥＤが図２の構成に適用されたケースにおいて何が起こるかが手短に説明される。ＥＤが、従来技術に従って、ＩＥＥＥ８０２．１１において現在使用されているレベルと同じレベルを使用して採用されることになる場合、２ＭＨｚ帯域幅において測定されるＥＤレベルは（２０ＭＨｚチャネルにおいて測定された−６２ｄＢｍよりも１０ｄＢ低い）−７２ｄＢｍになる。明らかに、ＮＢ−Ｗｉ−Ｆｉ  ＳＴＡ１３がこのＥＤしきい値を使用することになる場合、チャネルは、２ＭＨｚにおける受信機電力が、ＤＬ送信のケースにおいて−９５ｄＢｍになり、ＵＬ送信のケースにおいて−１１５ｄＢｍになるので、常にアイドルであることが見いだされるであろう。ここで、ＡＰ１５とＳＴＡ１  １１の両方によって使用される送信電力が１５ｄＢであると仮定される。
【００９０】
ＤＬ通信が進行中であるときにＮＢ−Ｗｉ−Ｆｉ  ＳＴＡ１３が送信を開始した場合に何が起こるか考慮すると、ＮＢ−Ｗｉ−Ｆｉ  ＳＴＡ１３が現在送信しているので、ＡＰ１５がＤＬ通信を受信することが可能でなくなることが容易にわかる。ＵＬ送信を考慮すると、ＡＰ１５における受信電力は、２ＭＨｚチャネル内で−８５ｄＢｍになる。同時に、ＳＴＡ１  １１からの受信電力は−６５ｄＢｍになる。しかしながら、２０ＭＨｚチャネルにおけるＡＰ１５における熱雑音は、−１１４ｄＢｍ／ＭＨｚ＋１３ｄＢＭＨｚ＋７ｄＢ＝−９４ｄＢｍのオーダーになり、ここで、−１１４ｄＢｍ／ＭＨｚは、１ＭＨｚチャネル内の熱雑音電力であり、１３ｄＢＭＨｚは、２０ＭＨｚチャネルが１ＭＨｚチャネルよりも１３ｄＢ多い雑音を有することになる考えから得られ、７ｄＢは、受信機の雑音指数であると仮定される。
【００９１】
したがって、ＮＢ−Ｗｉ−Ｆｉ送信からの干渉がない場合、信号対雑音比（ＳＮＲ）は−６５−（−９４）＝２９ｄＢである。しかしながら、ＮＢ−Ｗｉ−Ｆｉ干渉が存在する場合、信号対干渉比（ＳＩＲ）は−６４−（−８５）＝２１ｄＢになる。したがって、雑音および干渉が、所望の信号に対して同じ影響を有するものとして扱われる場合、ＳＴＡ１  １１から受信された信号の信号品質は、８ｄＢだけ劣化される。ＳＴＡ１  １１からＡＰ１５への送信のために使用される変調符号化（ＭＣＳ）が２９ｄＢ  ＳＮＲのチャネル状態に適応されると仮定すると、受信は、信号品質が約２１ｄＢまで低下した場合、ほぼ確実に失敗することになり、チャネルがアイドルであるのかビジーであるのかを決定するためにＥＤを使用することによる問題を明らかに示す。
【００９２】
次に、本実施形態によれば、ＡＰ１５はＥＤ＿ＤＬを推定する。ＡＰ１５が、ＮＢ−Ｗｉ−Ｆｉ  ＳＴＡ１３によって使用されるＴＸ電力と、対応する電力とを知っているので、これは容易に行われる。この特定の例では、送信電力は１５ｄＢｍであり、受信電力は−８５ｄＢｍであり、したがって、パスロスは１００ｄＢである。この特定のケースでは、送信電力は、ＡＰ１５およびＮＢ−Ｗｉ−Ｆｉ  ＳＴＡ１３について同じであったので、ＥＤ＿ＤＬは、ＡＰ１５における受信電力、すなわち、−８５ｄＢｍと同じになることになる。したがって、ＮＢ−Ｗｉ−Ｆｉ  ＳＴＡ１３は、ＥＤ＿ＤＬ＝−８５ｄＢｍを用いてＥＤを実施するべきである。
【００９３】
次に、ＳＴＡ１  １１からＡＰ１５へのＵＬ送信についての性能を著しく劣化させないために何が必要とされるかが考慮される。上記の計算によれば、熱雑音電力は、２０ＭＨｚ帯域幅において−９４ｄＢｍである。ＡＰ１５において受信されたときのＮＢ−Ｗｉ−Ｆｉ送信の電力が、著しい影響を有しないために、少なくとも３ｄＢ低くなるべきであること、すなわち、ＮＢ−Ｗｉ−Ｆｉ  ＳＴＡ１３から受信された最大電力が−９７ｄＢｍを超えるべきでないことが必要とされると仮定する。パスロスが１００ｄＢであるので、結果として、ＮＢ−Ｗｉ−Ｆｉ  ＳＴＡ１３のために許容される最大出力電力は３ｄＢｍになる。したがって、ＡＰ１５は、ＮＢ−Ｗｉ−Ｆｉ  ＳＴＡ１３にこの情報を送り、すなわち、チャネルにアクセスするために、ＮＢ−Ｗｉ−Ｆｉ  ＳＴＡ１３は、−８５ｄＢｍのしきい値を用いてＥＤを使用しなければならない。チャネルがアイドルであることが見いだされるケースでは、ＮＢ−Ｗｉ−Ｆｉ  ＳＴＡ１３は送信することができるが、３ｄＢｍを超えるＴＸ電力を使用しない。
【００９４】
進行中のＵＬ送信に対する干渉を引き起こさないためにＮＢ−Ｗｉ−Ｆｉ信号の電力を低減することは、もちろん、ＡＰ１５が依然としてＮＢ−Ｗｉ−Ｆｉ信号を受信することが可能であるべきである場合、あるポイントまで行われるにすぎないことがある。注目に値することは、ＡＰ１５におけるＮＢ−Ｗｉ−Ｆｉ信号のＳＮＲが、帯域幅がはるかにより小さいことから恩恵を受けることになるということである。したがって、ＮＢ−Ｗｉ−Ｆｉ信号の受信電力が−９７ｄＢｍを超えるべきでないが、２ＭＨｚチャネル内の雑音電力が、依然として７ｄＢ雑音指数を仮定すると、−１０４ｄＢｍになるので、２ＭＨｚチャネル内のＳＮＲは７ｄＢになる。７ｄＢのＳＮＲは、典型的には、ＡＰ１５におけるＮＢ−Ｗｉ−Ｆｉ信号の正常な受信を可能にするであろう。
【００９５】
別の例を提供するために、図３が考慮され、図３は、ＳＴＡ１  １１とＮＢ−Ｗｉ−Ｆｉ  ＳＴＡ１３とが、ＳＴＡ１  １１とＮＢ−Ｗｉ−Ｆｉ  ＳＴＡ１３との位置に関して取り換えられていること以外、図２と同様である。言い換えれば、図３に関して説明される例によれば、ＡＰ１５とＳＴＡ１  １１との間のパスロスは１００ｄＢであり、ＡＰ１５とＮＢ−ＳＴＡ１３との間のパスロスは８０ｄＢであり、ＳＴＡ１  １１とＮＢ−ＳＴＡ１３との間のパスロスは１２０ｄＢである。
【００９６】
図２の例と同様の計算を再び行うと、ＥＤ＿ＤＬ＝−６５ｄＢｍが取得される。さらに、ＳＴＡ１  １１からのＵＬ信号は−８５ｄＢｍにおいて受信されることになる。ＡＰ１５における熱雑音は、上記、すなわち、２０ＭＨｚチャネルにおいて−９４ｄＢｍのままであり、したがって、２０ＭＨｚ幅ＵＬ送信についてのＳＮＲが−８５ｄＢｍ−（−９４ｄＢｍ）＝９ｄＢになる。再び、ＮＢ−Ｗｉ−Ｆｉ信号が、雑音フロアを３ｄＢ下回るべきであること、すなわち、−９７ｄＢｍにおいて受信されるべきであることを必要とするので、結果として、ＮＢ−Ｗｉ−Ｆｉ  ＳＴＡ１３についての最大送信電力が−９７ｄＢｍ＋８０ｄＢ＝−１７ｄＢｍになることになる。
【００９７】
したがって、ＮＢ−ＳＴＡ１３は、チャネルがアイドルと見なされるべきであるかどうかを決定するために、ＥＤ＿ＤＬ＝−６５ｄＢｍを使用することになり、アイドルであることを見いだした場合、ＮＢ−Ｗｉ−Ｆｉ  ＳＴＡ１３は、−１７ｄＢｍの最大ＴＸ電力を使用することを許容されるであろう。
【００９８】
上記の実施形態では、レガシーＳＴＡ１１へのおよびからの送信は２０ＭＨｚであると仮定されたが、ＮＢ−Ｗｉ−Ｆｉ送信は２ＭＨｚにすぎないと仮定された。レガシー送信が、たとえば、ＩＥＥＥ８０２．１１ａｘなど、ＯＦＤＭＡに基づくケースでは、わずかに変更された手法が可能である。これは、以下の実施形態で説明される。
【００９９】
ＯＦＤＭＡが使用されると仮定され、例によって、ＩＥＥＥ８０２．１１ａｘが考慮される。たとえば、ＯＦＤＭＡ通信は、上記で説明された図２または図３に示されているＡＰ１５とＳＴＡ１  １１（レガシー局または広帯域ＳＴＡ）との間で使用され得る。図４は、ＩＥＥＥ８０２．１１ａｘにおける２０ＭＨｚチャネルについての可能なリソースユニット（ＲＵ）の例示を示す。８０２．１１ａｘでは、図４に示されているように、２０ＭＨｚチャネルにおいて最高９つのＲＵがサポートされ得る。さらなる詳細について、その全体が参照により本明細書に組み込まれる、ＩＥＥＥ  Ｐ８０２．１１  Ｗｉｒｅｌｅｓｓ  ＬＡＮｓ、「Ｓｐｅｃｉｆｉｃａｔｉｏｎ  Ｆｒａｍｅｗｏｒｋ  ｆｏｒ  ＴＧａｘ」、ｄｏｃ．：ＩＥＥＥ８０２．１１−１５／０１３２ｒ８、２０１５年９月が本明細書によって参照される。
【０１００】
ＡＰ１５は、ＮＢ−Ｗｉ−Ｆｉ  ＳＴＡ１３がチャネルへのアクセスを獲得する見込みを改善し、また、ＤＬ送信においてＮＢ−Ｗｉ−Ｆｉ  ＳＴＡ１３によって使用されるＲＵを使用しないことによって、増加されたＴＸ電力を可能にし、さらに、対応するＲＵ上でのＵＬ送信をスケジュールしないことがある。
【０１０１】
一例として、ＮＢ−Ｗｉ−Ｆｉ  ＳＴＡ１３が、最低周波数におけるＲＵ、すなわち、図４中の２６個のサブキャリアをもつ最左ＲＵを使用していると仮定する。さらに、再び、図２で説明されたもののような配置が仮定される。現在、対応する２ＭＨｚにおいて送信信号がないので、検出されるエネルギーは、ＤＬ送信のケースでは、かなり少なくなる。エネルギーは、隣接するＲＵについて信号を生成するために使用されるＩＦＦＴにおいていくらかの漏れがあるので、等しく０にならないが、エネルギーは、たとえば、ＲＵがユーザデータ送信のために割り当てられることになる場合よりも３０ｄＢ小さくなる。ＥＤ＿ＤＬは、同じ、すなわち、−８５ｄＢｍに保たれる。これは、データのために使用されないＲＵ内の受信電力が、上記で説明されたように極めて小さいので、ＮＢ−Ｗｉ−Ｆｉ  ＳＴＡ１３が、チャネルがアイドルであることを見いだすことになることを意味する。したがって、ＯＦＤＭＡを使用すること、および特定のＲＵのためにデータを意図的に割り当てないことによって、このＲＵを使用するＮＢ−Ｗｉ−Ｆｉ  ＳＴＡは、基本的に、アクセスすべきクリアなチャネルを取得することになる。
【０１０２】
さらに、ＮＢ−Ｗｉ−Ｆｉ  ＳＴＡ１３によって使用され得る、許容される送信電力に関する制約もあり得る。第１の実施形態では、この制約は、この制約がＵＬにおける広帯域送信を劣化させるべきでないことに基づいていたが、ＮＢ−Ｗｉ−Ｆｉ信号がＡＰによって受信されないであろうということが容認されたにすぎない。ＯＦＤＭＡのケースでは、ＡＰはまた、対応するＲＵに他のデータを割り当てないことによって、ＵＬをスケジュールするときにこれを検討することができる。図２で説明された配置では、２ＭＨｚチャネルにおける受信電力が−９７ｄＢｍになるようにＴＸ電力が３ｄＢまで低減されるべきであることが、以前の実施形態において宣言された。しかしながら、同じ２ＭＨｚチャネルにおけるＳＴＡ１  １１からの受信電力が−７５ｄＢｍであったので、ＮＢ−Ｗｉ−Ｆｉ  ＳＴＡ１３の観点から見られるＳＩＲは−２２ｄＢになり、それは、ＮＢ−Ｗｉ−Ｆｉ信号の受信を不可能にすることになる。したがって、本実施形態によれば、ＯＦＤＭＡが使用され、対応するＲＵはＵＬのために割り当てられない。次に、このＲＵ内の広帯域システムからの電力が、現在、隣接するＲＵからのいくらかの漏れによってのみ引き起こされるので、ＳＩＲは、ＲＵがＵＬデータ送信のために割り当てられることになる場合よりも約３０ｄＢ良くなることが予想され得る。したがって、約８ｄＢのＳＩＲが取得されることになり、また、ＮＢ−Ｗｉ−Ｆｉ信号は、ＡＰ１５によって容易に復号可能であろう。
【０１０３】
ただ第１の実施形態に関しては、ＥＤ＿ＤＬならびに許容されるＴＸ電力は、個々のＳＴＡについて導出されるパラメータである。もちろん、すべての関与するＳＴＡについての要件を調べ、次いで、要件の大きいセットを追跡することがあまりに複雑であるように見えることになるケースにおいて、すべてのＳＴＡについての最も限定的な要件を使用することを決めることが可能である。
【０１０４】
以下で説明される実施形態のいずれかは、上記で説明された技術および実施形態のうちの１つまたは複数のコンテキストにおいて行われ得る。特に、以下で説明される実施形態は、ＷＬＡＮ通信ネットワークにおいて実装され得る。
【０１０５】
図５は、無線通信ネットワークにおける通信を実施するための方法のフローチャートを示す。本方法は、本開示で説明されるネットワークノードのいずれかによって実装され得る。特に、図５に示されている方法は、図２または図３に示されているＡＰ１５によって実施され得る。
【０１０６】
図５に示されているように、本方法は、以下のステップを含む。
−  無線通信ネットワークにおいてユーザデバイスによって送信された信号を受信するステップ５０。
−  信号がネットワークノードによって受信された受信電力レベルを測定するステップ５２。
−  ネットワークノードのあらかじめ規定された送信電力レベルに基づいて、ユーザデバイスのあらかじめ規定された送信電力レベルに基づいて、および受信電力レベルに基づいて、ユーザデバイスによって実施されるべきクリアチャネルアセスメントについてのしきい値電力レベルを決定するステップ５４。
−  ユーザデバイスにしきい値電力レベルの指示を送信することをトリガするステップ５６。
【０１０７】
図６は、図５に関して上記で説明された方法を実施するように設定されたネットワークノード６０の概略ブロック図を示す。ネットワークノード６０は、本開示で説明されるＡＰであり得る。たとえば、ネットワークノード６０は、図２または図３に関して説明されるＡＰ１５に対応し得る。
【０１０８】
図６に示されているように、ネットワークノード６０は、以下を備える。
−  無線通信ネットワークにおいてユーザデバイスによって送信された信号を受信するように設定された受信ユニット６１。
−  信号がネットワークノードによって受信された受信電力レベルを測定するように設定された測定ユニット６２。
−  ネットワークノードのあらかじめ規定された送信電力レベルに基づいて、ユーザデバイスのあらかじめ規定された送信電力レベルに基づいて、および受信電力レベルに基づいて、ユーザデバイスによって実施されるべきクリアチャネルアセスメントについてのしきい値電力レベルを決定するように設定された決定ユニット６３。
−  ユーザデバイスにしきい値電力レベルの指示を送信することをトリガするように設定されたトリガリングユニット６４。
【０１０９】
また、図１および図２に関して説明された実施形態に関して上記で説明された詳細は、図５の方法に関して、および図６のネットワークノード６０に関して適用され得る。
【０１１０】
図７は、無線通信ネットワークにおける通信を実施するための方法のフローチャートを示す。本方法は、本開示で説明される局（ＳＴＡ）のいずれかによって、特に本開示で説明されるＮＢ−ＳＴＡのいずれかによって実装され得る。特に、図７に示されている方法は、図２または図３に示されているＮＢ−ＳＴＡ１３によって実施され得る。
【０１１１】
図７に示されているように、本方法は、以下のステップを含む。
−  無線通信ネットワークのネットワークノードから、無線通信ネットワークにおいてユーザデバイスによって実施されるべきクリアチャネルアセスメントについてのしきい値電力レベルを受信するステップ７０、
−  ネットワークノードから、ユーザデバイスによって送信される信号についての最大送信電力レベルを受信するステップ７２、
−  無線通信ネットワークのチャネルにおいてクリアチャネルアセスメントを実施することをトリガするステップ７４、および
−  チャネルがアイドルであると決定されたケースでは、最大送信電力レベルに等しいかまたはそれよりも低い送信電力レベルで、無線通信ネットワークにおいてネットワークノードにデータを送信するステップ７６。
【０１１２】
図８は、図７に関して上記で説明された方法を実施するように設定されたユーザデバイス８０の概略ブロック図を示す。ユーザデバイス８０は、本開示で説明されるＮＢ−ＳＴＡであり得る。たとえば、ユーザデバイス８０は、図２または図３に関して説明されるＮＢ−ＳＴＡ１３に対応し得る。
【０１１３】
図８に示されているように、ユーザデバイス８０は、以下を備える。
−  無線通信ネットワークのネットワークノードから、無線通信ネットワークにおいてユーザデバイスによって実施されるべきクリアチャネルアセスメントについてのしきい値電力レベルを受信するように設定された第１の受信ユニット８２。
−  ネットワークノードから、ユーザデバイスによって送信される信号についての最大送信電力レベルを受信するように設定された第２の受信ユニット８４。
−  無線通信ネットワークのチャネルにおいてクリアチャネルアセスメントを実施することをトリガするように設定されたトリガリングユニット８６。
−  チャネルがアイドルであると決定されたケースでは、最大送信電力レベルに等しいかまたはそれよりも低い送信電力レベルで、無線通信ネットワークにおいてネットワークノードにデータを送信するように設定された送信ユニット８８。
【０１１４】
図９は、本開示による、無線通信ネットワークにおける通信を実施するためのデバイス９０を示す。デバイス９０は、本明細書で説明される方法のいずれかを行うように設定され得る。たとえば、デバイス９０は、図５または図７に示されている方法を実施するように設定され得る。デバイス９０は、本開示によるネットワークノードまたは本開示によるユーザデバイスであり得るか、または本開示によるネットワークノードまたは本開示によるユーザデバイスを備え得る。
【０１１５】
デバイス９０は、デバイス９０を無線通信ネットワーク（たとえば、ＷＬＡＮ）に通信可能に結合するように適応されたネットワークインターフェース９２を備える。デバイス９０は、プロセッサ９４と、デバイス９０に、本開示で説明される方法のいずれかを行わせるためにプロセッサ９４によって実行可能な命令を含んでいるメモリ９６とをさらに備える。特に、メモリ９６は、デバイス９０に、図５および図７による方法のいずれかを行わせるためにプロセッサ９４によって実行可能な命令を含んでいることがある。
【０１１６】
上記の説明から明らかになったように、本開示による技法は、いくつかの実施形態によれば、プリアンブル検出（ＰＤ）を使用することが可能でないデバイスが、さもなければほとんど不可避である、そのデバイスがレガシー動作に危害を加えることがないことを確実にするやり方で、エネルギー検出（ＥＤ）を採用するための手段を提供する。狭帯域デバイスは、レガシープリアンブルが広帯域信号であるので、ＰＤを実施することができない。狭帯域デバイスのＥＤしきい値を調整することにおいて、狭帯域デバイスは、広帯域システムと共存することを可能にされる。したがって、本開示は、最初にアクセスポイント（ＡＰ）によってスケジュールされることなしにＡＰにパケットを送るために、狭帯域Ｗｉ−Ｆｉ局（ＮＢ−Ｗｉ−Ｆｉ  ＳＴＡ）がＥＤを実施することを可能にする。
【０１１７】
本開示の多くの利点は上記の説明から十分に理解され、本開示の範囲から逸脱することなく、および／または本開示の利点のすべてを犠牲にすることなしに、ユニットおよびデバイスの形式、設定および構成において様々な変更が行われ得ることは明らかであろう。実施形態が多くのやり方で変化され得るので、本開示は以下の実施形態の範囲によってのみ限定されるべきであることを認識されよう。
【図１】
2020523846.tif 000003
【図２】
2020523846.tif 000004
【図３】
2020523846.tif 000005
【図４】
2020523846.tif 000006
【図５】
2020523846.tif 000007
【図６】
2020523846.tif 000008
【図７】
2020523846.tif 000009
【図８】
2020523846.tif 000010
【図９】
2020523846.tif 000011
【国際調査報告】
2020523846.tif 000012
2020523846.tif 000013